(57)【要約】  薬物容器が、保持装置によって保持され、検出器デバイスが、薬物容器の開放活動及び閉鎖活動を無線で認識し、かつデータ処理デバイス又は制御デバイスが、検出器デバイスのデータを読み取って処理する服薬遵守管理のためのシステム及び方法を提案する。【選択図】図１１
2019531137.tif 000002
【特許請求の範囲】
【請求項１】
薬物容器（２００）を保持する又は薬物容器（２００）に接続するためのレセプタクル（１０１）を有する保持装置（１００）を含む服薬遵守管理システム（１０）であって、
服薬遵守管理システム（１０）又は保持装置（１００）が、服薬活動、前記薬物容器（２００）の開放又は閉鎖、及び／又は該薬物容器（２００）の重量の損失を登録するための検出器デバイス（１０２）、及び／又はデータ処理デバイス（１０３）又は制御デバイス（１１５）を含み、
前記保持装置（１００）は、前記薬物容器（２００）を保持及び／又は固定するために及び／又は異なるサイズ及び／又は異なる形状の薬物容器（２００）に適応させるために互いに対して移動可能である少なくとも第１の要素（１１０）及び第２の要素（１１１）である要素を含む、
ことを特徴とする服薬遵守管理システム（１０）。
【請求項２】
前記少なくとも２つの要素（１１０、１１１）は、直線的及び／又は入れ子方式で互いに対して移動可能であることを特徴とする請求項１に記載の服薬遵守管理システム。
【請求項３】
前記第１の要素（１１０）は、前記第２の要素（１１１）の移動を案内するための好ましくはそり状の誘導器（１１８）を含む又はそれを形成し、又は逆も同様であることを特徴とする請求項１又は請求項２に記載の服薬遵守管理システム。
【請求項４】
服薬遵守管理システム（１０）又は保持装置（１００）が、前記少なくとも２つの要素（１１０、１１１）を相対移動に対して解除可能にロックするためのロッキングデバイス（１１７）を含むことを特徴とする請求項１から請求項３のいずれか１項に記載の服薬遵守管理システム。
【請求項５】
前記ロッキングデバイス（１１７）は、前記少なくとも２つの要素（１１０、１１１）を互いに対して少なくとも２つの異なる位置にロックすることができるように設計されることを特徴とする請求項４に記載の服薬遵守管理システム。
【請求項６】
前記異なる位置は、異なるサイズ及び／又は形状の薬物容器（２００）に対応することを特徴とする請求項５に記載の服薬遵守管理システム。
【請求項７】
前記第１の要素（１１０）及び第２の要素（１１１）は、前記薬物容器（２００）を挿入するために開放することができる引き出しを互いに形成することを特徴とする請求項１から請求項６のいずれか１項に記載の服薬遵守管理システム。
【請求項８】
前記第１の要素（１１０）及び第２の要素（１１１）は、互いに対して回転可能であることを特徴とする請求項１から請求項７のいずれか１項に記載の服薬遵守管理システム。
【請求項９】
前記第１の要素（１１０）は、前記データ処理デバイス（１０３）又は前記制御デバイス（１１５）を含む、含有する、又は受け入れることを特徴とする請求項１から請求項８のいずれか１項に記載の服薬遵守管理システム。
【請求項１０】
前記第１の要素（１１０）は、視覚化及び／又は通知デバイス（１０４）、ユーザインタフェース（１０５）、通信デバイス（１０６）、及び／又はバッテリ（１０７）を含む、含有する、又は受け入れることを特徴とする請求項１から請求項９のいずれか１項に記載の服薬遵守管理システム。
【請求項１１】
前記第１の要素（１１０）は、服薬遵守管理システム（１０）又は前記保持装置（１００）の底部又はベース（１２０）を形成する又はそれび固定的に接続されることを特徴とする請求項１から請求項１０のいずれか１項に記載の服薬遵守管理システム。
【請求項１２】
前記第２の要素（１１１）は、前記薬物容器（２００）又はそのリザーバ（２０２）のためのスリーブを形成することを特徴とする請求項１から請求項１１のいずれか１項に記載の服薬遵守管理システム。
【請求項１３】
前記第２の要素（１１１）は、前記薬物容器（２００）を保持する及び／又は支持する支持体、アーム、及び／又はストップを形成することを特徴とする請求項１から請求項１２のいずれか１項に記載の服薬遵守管理システム。
【請求項１４】
前記第２の要素（１１１）は、前記検出器デバイス（１０２）を含むことを特徴とする請求項１から請求項１３のいずれか１項に記載の服薬遵守管理システム。
【請求項１５】
前記第２の要素（１１１）は、該第２の要素（１１１）内に又はそこに位置付けられた前記検出器デバイス（１０２）を前記第１の要素（１１０）内に又はそこに位置付けられた前記データ処理デバイス（１０３）又は制御デバイス（１１５）に接続する電気接続部（１１２）を含むことを特徴とする請求項１から請求項１４のいずれか１項に記載の服薬遵守管理システム。
【請求項１６】
前記第１の要素（１１０）及び第２の要素（１１１）は、互いから分離不能であることを特徴とする請求項１から請求項１５のいずれか１項に記載の服薬遵守管理システム。
【請求項１７】
服薬遵守管理システム（１０）、及び／又は保持装置（１００）、及び／又はそのハウジング（１０８）が、互いから分離可能及び／又は交換可能である複数のモジュール式要素を含み、特に前記第１の要素（１１０）及び前記第２の要素（１１１）は、モジュール式要素であることを特徴とする請求項１から請求項１５のいずれか１項に記載の服薬遵守管理システム（１０）。
【請求項１８】
前記モジュール式要素の一部又は全てが、圧力嵌め、形態嵌合、及び／又はスナップ方式によって脱離可能に互いに接続されることを特徴とする請求項１７に記載の服薬遵守管理システム。
【請求項１９】
前記保持装置（１００）は、前記モジュール式要素の一部又は全てを解除又はアンロックする少なくとも１つの解除ボタン（１１３Ａ）を有することを特徴とする請求項１８に記載の服薬遵守管理システム。
【請求項２０】
前記モジュール式要素の一部又は全てが、前記保持装置（１００）又はレセプタクル（１０１）を異なるサイズ及び／又は異なる形状の薬物容器（２００）に適応させるために交換可能であることを特徴とする請求項１７から請求項１９のいずれか１項に記載の服薬遵守管理システム。
【請求項２１】
好ましくは請求項１から特許請求２０のうちの１項に記載の薬物容器（２００）を保持する又はそれに接続するためのレセプタクル（１０１）を有する保持装置（１００）を含み、
服薬遵守管理システム（１０）又は保持装置（１００）が、服薬活動、前記薬物容器（２００）の開放又は閉鎖、及び／又は該薬物容器（２００）の重量の損失を登録するための検出器デバイス（１０２）、及び／又はデータ処理デバイス（１０３）又は制御デバイス（１１５）を含む、
服薬遵守管理システム（１０）であって、
前記保持装置（１００）は、前記薬物容器（２００）の先細部、肩部（２０９）、及び／又は首部（２０７）で該薬物容器（２００）を保持する又はそれに接続されるようになっている、
ことを特徴とする服薬遵守管理システム（１０）。
【請求項２２】
前記レセプタクル（１０１）、保持装置（１００）、及び／又はそのベース（１２０）が、前記薬物容器（２００）を下から支持するようになっていることを特徴とする請求項２１に記載の服薬遵守管理システム。
【請求項２３】
服薬遵守管理システム（１０）が、前記薬物容器（２００）がその上側部分、及び／又は先細部、及び／又は首部（２０７）で保持されている間に前記保持装置（１００）内で垂れ下がることができるように該薬物容器（２００）を受け入れるようになっていることを特徴とする請求項２１に記載の服薬遵守管理システム。
【請求項２４】
前記保持装置（１００）及び／又はその接触要素（１１６）が、前記レセプタクル（１０１）の上部に開口部（１１１Ａ）を含むことを特徴とする請求項２１から請求項２３のいずれか１項に記載の服薬遵守管理システム。
【請求項２５】
前記開口部（１１１Ａ）は、前記薬物容器（２００）を挿入する又は取り外すために拡大することができることを特徴とする請求項２４に記載の服薬遵守管理システム。
【請求項２６】
好ましくは請求項１から請求項２５のうちの１項に記載の薬物容器（２００）を保持する又はそれに接続されるレセプタクル（１０１）を有する保持装置（１００）を含む服薬遵守管理システム（１０）であって、
服薬遵守管理システム（１０）又は保持装置（１００）が、服薬活動、前記薬物容器（２００）の開放又は閉鎖、及び／又は該薬物容器（２００）の重量の損失を登録するための検出器デバイス（１０２）、及び／又はデータ処理デバイス（１０３）又は制御デバイス（１１５）を含み、
前記薬物容器（２００）が、取り外し可能な蓋（２０１）と薬物（２０３）のためのリザーバ（２０２）とを含み、
服薬遵守管理システム（１０）又は保持装置（１００）が、圧力嵌め方式、形態嵌合方式、及び／又はスナップ方式で前記蓋（２０１）を受け入れてそれに接続するようになったキャップ（１１４）を含む、
ことを特徴とする服薬遵守管理システム（１０）。
【請求項２７】
前記キャップ（１１４）及び前記蓋（２０１）は、前記リザーバ（２０２）から取り外し可能かつそれに取り付け可能であるユニットを形成することを特徴とする請求項２６に記載の服薬遵守管理システム。
【請求項２８】
前記キャップ（１１４）の上に作用されたタンジェンシャル力が、前記蓋（２０１）の上に伝達され、及び／又は
前記キャップ（１１４）及び前記蓋（２０１）は、互いに回転可能に結合される、
ことを特徴とする請求項２６又は請求項２７に記載の服薬遵守管理システム。
【請求項２９】
前記キャップ（１１４）は、前記蓋（２０１）の上にその上部からクリップ留めする又は差し込むことができることを特徴とする請求項２６から請求項２８のいずれか１項に記載の服薬遵守管理システム。
【請求項３０】
前記キャップ（１１４）は、前記蓋（２０１）をその上部及び円周で完全に覆うことを特徴とする請求項２６から請求項２９のいずれか１項に記載の服薬遵守管理システム。
【請求項３１】
前記キャップ（１１４）は、前記蓋（２０１）から取り外すことができることを特徴とする請求項２６から請求項３０のいずれか１項に記載の服薬遵守管理システム。
【請求項３２】
前記キャップ（１１４）は、前記蓋（２０１）に脱離不能に接続されることを特徴とする請求項２６から請求項３０のいずれか１項に記載の服薬遵守管理システム。
【請求項３３】
好ましくは請求項１から請求項３２のうちのいずれか１項に記載の薬物容器（２００）のための保持装置（１００）を含む服薬遵守管理システム（１０）であって、
前記保持装置（１００）が、
薬物容器（２００）を保持する又はそれに接続するためのレセプタクル（１０１）と、
前記レセプタクル（１０１）内の前記薬物容器（２００）の開放及び閉鎖を無線で認識するための検出器デバイス（１０２）と、
を含み、
前記保持装置（１００）は、前記薬物容器（２００）が予め決められた期間内に開放及び閉鎖された時に服薬活動を登録するために前記検出器デバイス（１０２）のデータを処理するためのデータ処理デバイス（１０３）又は制御デバイス（１１５）を更に含む、
ことを特徴とする服薬遵守管理システム（１０）。
【請求項３４】
前記レセプタクル（１０１）又は保持装置（１００）又はそのハウジング（１０８）又は第２の要素（１１１）が、前記薬物容器（２００）が固定位置から離脱することを防止する少なくとも１つの固定要素（１０８Ａ）を含む又はそれを形成することを特徴とする請求項１から請求項３３のいずれか１項に記載の服薬遵守管理システム。
【請求項３５】
前記固定要素（１０８Ａ）は、軟質、弾性、及び／又は接着性材料、特にゴム又は軟質プラスチックで作られた接触要素（１１６）を含む又はそれを形成することを特徴とする請求項３４に記載の服薬遵守管理システム。
【請求項３６】
前記固定要素（１０８Ａ）は、少なくとも実質的に水平に及び／又は前記保持装置（１００）のベース（１２０）と平行に延び、及び／又は前記薬物容器（２００）又はその肩部（２０９）上に上方から載る又は当接することを特徴とする請求項３４又は請求項３５に記載の服薬遵守管理システム。
【請求項３７】
前記固定要素（１０８Ａ）は、フォーク状、Ｕ字形であり、及び／又は前記薬物容器（２００）又はその首部（２０７）を部分的に取り囲むための指部を含む又はそれを形成することを特徴とする請求項３４から請求項３６のいずれか１項に記載の服薬遵守管理システム。
【請求項３８】
前記保持装置（１００）、前記固定要素（１０８Ａ）、及び／又はその接触要素（１１６）が、前記薬物容器（２００）の上側部分及び／又は首部（２０７）を取り囲む又は部分的に取り囲むようになっていることを特徴とする請求項３４から請求項３７のいずれか１項に記載の服薬遵守管理システム。
【請求項３９】
前記固定要素（１０８Ａ）は、前記薬物容器（２００）が垂直方向（Ｄ）に離脱することを防止するようになっており、一方で前記レセプタクル（１０１）は、該薬物容器（２００）を下から支持し、かつ該薬物容器（２００）が水平方向に離脱することを防止するようになっていることを特徴とする請求項３４から請求項３８のいずれか１項に記載の服薬遵守管理システム。
【請求項４０】
前記レセプタクル（１０１）は、前記薬物容器（２００）が固定位置から離脱することを防止するように、特に、該薬物容器（２００）を下から及び／又は垂直側部上で支持するようになっていることを特徴とする請求項１から請求項３９のいずれか１項に記載の服薬遵守管理システム。
【請求項４１】
前記レセプタクル（１０１）は、前記薬物容器（２００）を異なるサイズ及び／又は形状の水平断面又は外側輪郭に適合させるためにステップ（１０１Ｅ）又は複数のステップ（１０１Ｅ）を含むことを特徴とする請求項１から請求項４０のいずれか１項に記載の服薬遵守管理システム。
【請求項４２】
システム（１０）又は保持装置（１００）又はレセプタクル（１０１）が、異なるサイズ及び／又は形状の薬物容器（２００）を支持する及び／又は受け入れるように設計されることを特徴とする請求項１から請求項４１のいずれか１項に記載の服薬遵守管理システム。
【請求項４３】
前記レセプタクル（１０１）は、前記薬物容器（２００）の外形に少なくとも実質的に似ていることを特徴とする請求項１から請求項４２のいずれか１項に記載の服薬遵守管理システム。
【請求項４４】
前記保持装置（１００）又はレセプタクル（１０１）は、前記薬物容器（２００）を回転可能に固定される方式で保持することを特徴とする請求項１から請求項４３のいずれか１項に記載の服薬遵守管理システム。
【請求項４５】
服薬遵守管理システム（１０）が、前記保持装置（１００）によって保持された前記薬物容器（２００）を含むことを特徴とする請求項１から請求項４４のいずれか１項に記載の服薬遵守管理システム。
【請求項４６】
前記薬物容器（２００）は、薬物（２０３）のためのリザーバ（２０２）を含む又はそれを形成し、該リザーバ（２０２）は、非円形水平断面及び／又は外側輪郭を有することを特徴とする請求項４５に記載の服薬遵守管理システム。
【請求項４７】
前記薬物容器（２００）は、前記検出器デバイス（１０２）によって好ましくは無線で検出可能な検出ユニット（２０４）を含むことを特徴とする請求項４５又は請求項４６に記載の服薬遵守管理システム。
【請求項４８】
服薬遵守管理システム（１０）、及び／又は保持装置（１００）、及び／又はそのハウジング（１０８）が、前記薬物容器（２００）の蓋（２０１）を受け入れるためのキャップ（１１４）、及び／又は前記レセプタクル（１０１）を閉鎖するためのカバー（１０９）を含むことを特徴とする請求項１から請求４７のいずれか１項に記載の服薬遵守管理システム。
【請求項４９】
前記キャップ（１１４）及び／又はカバー（１０９）は、前記検出器デバイス（１０２）によって好ましくは無線で検出可能な検出ユニット（２０４）を含むことを特徴とする請求項４８に記載の服薬遵守管理システム。
【請求項５０】
前記検出ユニット（２０４）は、光学参照要素、特に参照パターン、磁石、及び／又は電子参照要素、特にＲＦＩＤタグを含むことを特徴とする請求項４７又は請求項４９に記載の服薬遵守管理システム。
【請求項５１】
前記検出器デバイス（１０２）は、前記薬物容器（２００）又はその検出ユニット（２０４）との光学的、電子的、磁気的、遠隔的、及び／又は超音波的相互作用又はその検出が可能である又はそのように適応されることを特徴とする請求項１から請求項５０のいずれか１項に記載の服薬遵守管理システム。
【請求項５２】
前記検出器デバイス（１０２）は、前記薬物容器（２００）内の薬物（２０３）のタイプ及び／又は該薬物容器（２００）のサイズを該薬物容器（２００）の少なくとも一部又はその検出ユニット（２０４）を好ましくは認識する又は読み取ることによって認識することができることを特徴とする請求項１から請求項５１のいずれか１項に記載の服薬遵守管理システム。
【請求項５３】
前記データ処理デバイス（１０３）又は制御デバイス（１１５）は、服薬遵守管理システム（１０）がある位置で時間、場所、及び／又は温度を決定するためのユニットを含む又はそれに関連付けられることを特徴とする請求項１から請求項５２のいずれか１項に記載の服薬遵守管理システム。
【請求項５４】
前記保持装置（１００）は、視覚化及び／又は通知デバイス（１０４）を含むことを特徴とする請求項１から請求項５３のいずれか１項に記載の服薬遵守管理システム。
【請求項５５】
前記保持装置（１００）は、服薬遵守管理システム（１０）を制御することを可能にするユーザインタフェース（１０５）を含むことを特徴とする請求項１から請求項５４のいずれか１項に記載の服薬遵守管理システム。
【請求項５６】
服薬遵守管理システム（１０）、前記保持装置（１００）、又は前記データ処理デバイス（１０３）又は制御デバイス（１１５）は、外部デバイス（３００）及び／又はネットワークと通信するための通信デバイス（１０６）又はインタフェースを含む又はそれに関連付けられることを特徴とする請求項１から請求項５５のいずれか１項に記載の服薬遵守管理システム。
【請求項５７】
服薬遵守管理システム（１０）が、外部電源から作動的に独立していることを特徴とする請求項１から請求項５６のいずれか１項に記載の服薬遵守管理システム。
【請求項５８】
前記保持装置（１００）又はそのハウジング（１０８）が、少なくとも部分的に密封され、好ましくは実質的に水密及び／又は気密であることを特徴とする請求項１から請求項５７のいずれか１項に記載の服薬遵守管理システム。
【請求項５９】
システム（１０）、及び／又は保持装置（１００）、及び／又はレセプタクル（１０１）が、前記薬物容器（２００）を完全に受け入れる及び／又は覆うようになっていることを特徴とする請求項１から請求項５８のいずれか１項に記載の服薬遵守管理システム。
【請求項６０】
前記保持装置（１００）は、前記薬物容器（２００）及び／又はそのラベル（２０６）が服薬遵守管理システム（１０）の各状態で少なくとも実質的に可視であるように設計されることを特徴とする請求項１から請求項５９のいずれか１項に記載の服薬遵守管理システム。
【請求項６１】
前記保持装置（１００）又はそのハウジング（１０８）が、窓又は開口部を有し、及び／又は少なくとも実質的に透明であることを特徴とする請求項６０に記載の服薬遵守管理システム。
【請求項６２】
服薬遵守管理のための方法であって、
薬物（２０３）の複数の投与量を含有する薬物容器（２００）が、保持装置（１００）によって保持され、
前記保持装置（１００）の検出器デバイス（１０２）が、前記薬物容器（２００）の開放及び閉鎖を遠隔的に検出し、かつ
データ処理デバイス（１０３）が、前記薬物容器（２００）が開放及び閉鎖される度に服薬活動を登録する、
ことを特徴とする方法。
【請求項６３】
活動後に、及び／又は特定の時間に、及び／又は要求時に、データが、通信デバイス（１０６）を通じて受信機、特にサーバ又はデータセンターに伝達されることを特徴とする請求項６２に記載の方法。
【請求項６４】
前記伝達データは、活動の１又は２以上の事象、活動の回数、活動事象の時間、及び／又は服薬スケジュールを含有する又はそれに関連することを特徴とする請求項６３に記載の方法。
【請求項６５】
前記データ処理デバイス（１０３）からの前記伝達データは、遠隔場所で自動的に及び／又は医療専門家によって評価されることを特徴とする請求項６２から請求項６４のいずれか１項に記載の方法。
【発明の詳細な説明】
【技術分野】
【０００１】
本発明は、患者のための服薬用途での編成、モニタ、制御、及び／又は補助を可能にする服薬遵守管理システム及び服薬遵守管理のための方法に関する。
【背景技術】
【０００２】
服薬遵守管理は、服薬計画の正しい適用を保証するために、すなわち、特定のスケジュールに従って飲まなければならないある一定の薬が患者に処方された時に多くの場合に必要である。特に高齢者は、特に彼らが広範な異なる薬に直面した時に頻繁に自分達の薬の服用状況を追跡するのに労力する。例えば、年齢と共に高まる記憶の喪失に起因して、患者は、適切な時間に服薬することを忘れる可能性があり、又は彼らが既に服薬したか否かを憶えておくことができない。
【０００３】
患者がセグメント化された薬を投与するための基本的な補助としてセグメント化された薬箱を使用することができる。そのような薬箱は、一般的に、例えば一日の異なる時刻及び一週間の異なる曜日のためのいくつかの区画を含む。しかし、患者が重度の年齢誘起性機能制限に悩まされている場合に、薬の服用及び服薬計画スケジュールの遵守をモニタすることも多くの場合に必要である。この点に関して、一般的な手法は、薬箱のような薬物ディスペンサへの患者のアクセスをモニタすることである。
【０００４】
ＵＳ  ５，７１０，５５１は、薬箱を蓋で覆う特殊ハウジングに薬箱を入れるシステムを開示している。システムに入れられた薬にアクセスすることは、蓋に関連付けられたスイッチによって登録される。スイッチ信号をモニタすることにより、服薬スケジュールに対する患者の遵守を遠隔場所からモニタすることができる。
【０００５】
ＵＳ  ２０１３／０００２７９５  Ａ１に提案されている別のシステムは、個々の薬物投与量を各々が含有するカップの形態の薬物容器のアレイを含む。カップは、個々の蓋で覆われる。全体薬箱カバーのヒンジのモニタに加えて、単一カップアクセスの検出のために個々の蓋もモニタすることができる。個々のカップのモニタは、蓋に関連付けられたスイッチによって又は患者の指などの近接度の検出によって実施することができる。
【０００６】
上述の服薬モニタシステムは、使用に向けて薬箱を準備するのに多大な手間を必要とするという共通の欠点を共有する。特に、公知の服薬モニタのためのシステムと併用されることになる特殊薬物容器の個々のカップ又は区画は、薬剤師、介護師、患者、又は他の誰かによって使用前に薬剤製造業者からのバルクリザーバ、又はブリスターパッケージ、又は薬瓶から充填しなければならない。丸薬を１又は２以上のパッケージから薬物容器／服薬モニタシステムに移す必要性は、過誤の原因を与える可能性があり、かつ薬物容器／服薬モニタシステム内で異なる薬物安定性を招く場合があると考えられる。公知の従来技術システムには、従って、多大な準備の手間の必要性と準備過誤の危険性と潜在的に限られた薬物安定性とが組み合わさった欠点がある。
【０００７】
ＵＳ  ２０１６／０１３６０５５  Ａ１は、従来の薬剤容器に取り付けることができる電子機器モジュール、又はそのような容器を内部に設置することができる電子機器を含むスリーブ、又は電子機器が容器内に直接に組み込まれた特製薬剤容器のいずれかを提供するシステムを開示している。システムは、容器の開放を検出するための手段、特に、容器が閉鎖された時に容器の蓋によって押下されて蓋が取り外された時に解除されるレバーを含む。システムは、傾斜センサ及び実時間クロックを更に含むことができる。数秒のようなある一定の時間にわたって容器の開放及び傾斜が同時に検出された時に有効投与事象がシステムによって記録される。
【０００８】
ＷＯ  ２００６／０３５２７８  Ａ１は、取り外し可能服薬容器と、セルラー電話モジュールと、服薬容器の蓋が開放された又は服薬容器がハウジングから取り外された時に作動されるスイッチとを収容する本体を含む服薬モニタを開示している。セルラー電話モジュールは、服薬容器がアクセスされた時、すなわち、蓋が開放された又は容器がハウジングから取り外された時にＳＭＳテキストメッセージを遠隔アクセス可能プロセッサに送信するように作動可能である。
【０００９】
ＷＯ  ２０１３／１２７５６４  Ａ１は、高分解能力感知を用いて服薬遵守をモニタするためのシステムを開示している。システムは、標準服薬容器をその内部に挿入することができる服薬容器ホルダを含む。システムは、例えば、単一丸薬を取り出す時に容器の重量低下を検出することができる重量センサを更に含み、従って、システムは、この重量センサを通して薬の消費をモニタする。異なる服薬容器に対して、服薬容器ホルダは、それを重量センサに再取り付けすることによって交換することができる。
【００１０】
上述のシステムは、初期服薬容器を用いて作動するシステムを提供することによって多大な準備の手間の必要性の欠点を解消するが、服薬活動を登録する信頼性の低い及び／又は非常に複雑な機構を有する及び／又は限られた有用性を有するという代償を払っている。特に、蓋が開放された時に服薬活動を登録することでは十分ではない場合があると考えられる。しかし、他の測定手段を設けることは、遵守管理システムを不要に複雑にする。更に、システムは、特定の服薬容器にのみ適合するように設計されるか、又はシステムを異なるサイズ及び／又は形状の容器と併用可能であるように適応させることが非常に複雑であり、システムのある一定の部品を交換する又は取り替える必要があるかのいずれかである。
【発明の概要】
【発明が解決しようとする課題】
【００１１】
従って、本発明の目的は、従来技術システムの上述の欠点、特に、薬物の初期パッケージングからシステムへの薬物の移し替えの必要性に起因するもの、検出手段に起因するもの、及び異なる容器の限られた適応性に起因するものを解消するために単純な構成を可能にし、多岐にわたる用途に適し、かつ患者、介護師、並びに医療専門家によって使用するのに容易である服薬遵守管理を提供することである。
【課題を解決するための手段】
【００１２】
上述の目的は、請求項１、請求項２１、請求項２６、又は請求項３３に記載の服薬遵守管理システム、又は請求項６２に記載の方法によって解決される。従属請求項は、本発明の有利な実施形態に関連する。
【００１３】
本発明の一態様により、服薬遵守管理システムは、薬物容器のための保持装置を含む。保持装置は、薬物容器を保持する又はそれに接続するためのレセプタクルと、レセプタクル内の薬物容器の開放及び閉鎖を無線で認識するための検出器デバイスと、薬物容器が開放及び閉鎖された時の服薬活動を登録するためにこの検出器デバイスのデータを処理するためのデータ処理デバイスとを含む。
【００１４】
用語「保持装置」は、薬物容器と取り外し可能に接続することができ、又は薬物容器を取り外し可能に保持又は受け入れることができる装置を好ましくは意味する。特に、保持装置のレセプタクルは、少なくとも部分的に薬物容器を受け入れる又はそれに接続するためのキャビティ又は開口部などとすることができる又はそれを形成することができる。
【００１５】
好ましくは、用語「服薬遵守」は、服薬計画に対する患者の「遵守」、すなわち、投与群の処方された間隔及び投与量に従って患者が行動する程度、並びに患者の「持続性」、すなわち、治療の開始から中断までの持続時間を意味する。
【００１６】
独立に実現することができる本発明の別の態様により、検出器デバイスは、薬物容器を計量するように適応され、データ処理デバイスは、薬物容器が重量を失った時に服薬活動を登録する。
【００１７】
本提案のソリューションは、一般的な薬瓶又はブリスター上にいくつかの単一投与量を多くの場合に含有する厚紙パッケージのような市販薬物容器の即時使用を可能にする。薬物容器へのアクセスは、モニタシステムとの併用のために薬が送出されたバルク薬物容器から特殊薬物容器内への薬の中間分配を必要とせずに直接モニタすることができる。すなわち、準備手順は、薬が取得されたバルク薬物容器を保持装置と基本的に組み合わせることに低減されるので、システムの準備が大いに加速化される。
【００１８】
本発明の更に別の態様により、薬物の複数の投与量を含有する薬物容器が保持装置によって保持され、この保持装置の検出器デバイスが、薬物容器の開放及び閉鎖を遠隔に又は無線で検出し、及び／又は薬物容器のあらゆる重量変化を検出し、データ処理デバイスが、薬物容器が開放及び閉鎖される度に及び／又は薬物容器が好ましくは少なくとも１投与量の重量だけ重量を失う度に服薬活動を登録する服薬遵守管理のための方法を提案する。すなわち、上述したものと類似の利点を達成することができる。
【００１９】
好ましくは、用語「薬物」は、一般的に患者の治療のための医療リソースに関連する。その意味は、従って、患者によって摂取されることになる医薬品に限定されず、注射及び／又は吸入のための薬物の投与、並びに注射器又は手術針などのような治療の適用に必要とされる追加の補助器具も含む。
【００２０】
好ましくは、用語「薬物容器」は、薬物の複数の好ましくは事前計量された投与量を含有するパッケージングに関連する。特に、パッケージングは、複数の錠剤、カプセル、又は坐薬などを含有する薬瓶のような瓶とすることができる。パッケージングは、好ましくは錠剤、カプセル、又は坐薬の形態にある薬物を特に１又は２以上のポケットブリスターに含有する厚紙箱である場合がある。これに代えて、薬物容器は、注射及び／又は吸入器などのための液体、粉末、事前充填注射器を任意的に含有する場合がある。
【００２１】
用語「服薬活動」は、好ましくは、恐らくは薬物容器からの薬物の投与量の取り出しである事象に関連する。服薬活動は、容器の開放及び閉鎖の両方が検出された時、及び／又は薬物容器が好ましくは約１投与量の重量又はそれ以上だけ重量を失った時に好ましくは検出又は登録される。
【００２２】
薬物容器の開放及び閉鎖の認識は、遠隔に及び／又は無線で、すなわち、好ましくはいずれの電気接触もなしに好ましくは実現される。
【００２３】
薬物容器又はその蓋には、薬物容器又はその蓋の開放及び閉鎖の認識を容易にするための検出ユニットを設けることができる。特に、保持装置又は検出器デバイスは、薬物容器を開放及び閉鎖する時に検出ユニット又はそのあらゆる移動を容易に及び／又は確実に認識することができる。
【００２４】
検出ユニットは、例えば、薬物容器の蓋上に印刷又は配置された幾何学パターン、磁石又はＲＦＩＤタグのような電子的に検出可能なユニット、又はビーコンの形態にある単純なマーカ要素とすることができる。
【００２５】
これに加えて又はこれに代えて、検出ユニット及び／又は検出器デバイスは、センサ、特に、運動センサ、近接センサ、傾斜センサ、位置センサ、力センサ、又は計量センサを含む又はそれによって形成することができる。これは、薬物容器の開放及び閉鎖の検出をサポートし、及び／又は薬物容器の計量を可能にする。
【００２６】
好ましくは、検出器デバイスは、薬物容器及び／又は薬物容器の検出ユニットとの光学的、触覚的、遠隔、及び／又は超音波相互作用が可能である。これは、服薬遵守管理システムの信頼性の高い作動を保証する。
【００２７】
好ましい実施形態では、検出器デバイスは、これに加えて又はこれに代えて、薬物容器内の薬物のタイプ、及び／又は所与の剤形にある薬物の量、及び／又はパッケージサイズを認識する機能を有することができる。薬物のタイプはまた、バッチ及び／又はロット番号、生産日付、及び／又は有効期限を含むことができる。これは、例えば、ＥＡＮ番号、又は特定のバーコード、又はＲＦＩＤタグのような薬物容器上の特定のマークを読み取ることによって行うことができる。
【００２８】
データ処理デバイスは、電子回路、特にマイクロプロセッサを好ましくは含む。それは、好ましくは、複雑な計算及び演算さえも実施する機能を有する。これは、多岐にわたる使用及びユーザ情報をサポートする。
【００２９】
保持装置又はデータ処理デバイスは、データ及び／又は服薬活動の発生を格納するためのメモリを好ましくは含む。
【００３０】
この点に関して、データ処理デバイス及び／又は検出器デバイスは、検出器デバイスによって登録された活動の回数を計数及び／又は格納する機能、より好ましくは、実際の活動回数を基準値と比較する機能を有するように設計されることが好ましい。それにより、本発明によるシステムは、患者が服薬スケジュールを遵守しているか又はそこから逸脱しているか否かを評価することができる。
【００３１】
好ましい実施形態では、データ処理デバイスは、時間ベースを含む。これは、登録された活動にタイムスタンプを押すことを可能にする。データ処理デバイスが時間ベース及びメモリを含む場合に、各活動は、それぞれの時間と共にデータセットに格納することができる。これに加えて又はこれに代えて、システムは、外部時間信号を受信する機能を有することができる。
【００３２】
服薬遵守管理システム及び／又は保持装置は、システムの環境に関する追加情報を収集するための追加のセンサ又はデバイスを更に含むことができる。取りわけ、これは、ＧＰＳ受信機のような測位デバイス及び／又は温度センサを含むことができる。これに加えて又はこれに代えて、システムは、そのような情報を外部ソース又はデバイスから受信する機能を有することができる。
【００３３】
好ましい実施形態では、保持装置は、薬物容器が保持装置のレセプタクルにある間に薬剤の銘柄名のような薬物容器上に表示されているものの少なくとも一部を患者、介護師、医療従事者、又は他の者が読み取ることを可能にする。
【００３４】
好ましい実施形態では、保持装置は、視覚化及び／又は通知デバイスを含む。これは、ディスプレイ、音響的、光学的、及び／又は振動的インジケータとすることができる。視覚化デバイス又は通知ユニットは、検出された活動の回数、服薬スケジュールからの逸脱又はその遵守、及び／又は薬物を服用するように患者に注意を促す通知のようなデータをデータ処理デバイスから出力するのに利用することができる。これに加えて又はこれに代えて、視覚化及び／又は通知デバイスは、服薬遵守管理システムが作動しているか、例えば、薬物容器が保持装置内に正しく挿入されたかを示すのに利用することができる。
【００３５】
視覚化及び／又は通知デバイスは、データ処理デバイスによって好ましくは制御される。これにより、データ処理デバイスは、登録された服薬活動の視覚化を開始することができる。直近の、一部の、又は全ての登録された活動の時間又は実際の回数とは別に、ユーザには、実際の活動回数と基準値の間のあらゆる差、及び／又は実際の時間と基準時間の特定の関係、例えば、患者が薬を服用することを遅滞している時間に関して通知することができる。
【００３６】
好ましくは、保持装置又はデータ処理デバイスは、外部デバイス及び／又はネットワークと通信するためにデータ処理デバイスに好ましくは関連付けられた通信デバイスを含むことができる。通信デバイスを通じて、データは、遠隔場所に送信される及び／又はそこから受信され、かつ遠隔的及び／又は局所的に処理及び／又は評価することができる。容易な接続性に関して、通信デバイスは、好ましくは無線のデジタルデータインタフェースを含むことができる。広く適用されている一般的なタイプのインタフェースが特に好ましい。取りわけ、これらは、例えば、シリアルポート、ＵＳＢポート、イーサネット（登録商標）ポート、ＷＬＡＮモジュール、ＧＳＭ（登録商標）モジュール、及び／又はＢｌｕｅｔｏｏｔｈ（登録商標）モジュールである。
【００３７】
データ処理デバイスは、通信デバイスを通じて好ましくは受信機に、特に、遠隔場所にあるサーバ又はデータセンターにデータを送信する機能を好ましくは有する。データ処理デバイスからのデータのアウトバウンド送信に加えて又はその代わりに、データ処理デバイスはまた、特に、通信デバイスを通じて遠隔制御可能とすることができる。例えば、これは、医療専門家が服薬スケジュールに対する患者の遵守をモニタし、かつ患者に彼がスケジュールから逸脱している場合に通知することを可能にする。特に、インバウンド通信は、患者に注意を促すための警報時間及び／又はモードの設定及び／又は変更を可能にする又は制御することができ、及び／又はソフトウエア更新を制御することができる。
【００３８】
これに代えて又はこれに加えて、保持装置、データ処理デバイス、又は通信デバイスは、無線又はケーブル接続を通じてスマート電話、ラップトップ、又はコンピュータなどによって制御又はプログラムすることができる。
【００３９】
システム、保持装置、又はデータ処理デバイスは、服薬活動に関する情報又はいずれかの通知などのようなデータをユーザ、介護師、医療従事者、サービスセンターなどのスマート電話、タブレット、ラップトップ、コンピュータ、又はスマート腕時計などのような通信デバイスに送るようになっていることも可能である。
【００４０】
好ましくは、活動情報は、服薬活動及び／又は関連の時点、所望又は所要のスケジュールからのあらゆる相違、活動に関する統計情報、例えば、服薬活動の遅滞、薬物容器の閉鎖の遅滞、薬物容器の予想変更又は補充、既に消費した又は薬物容器内にまだ含有されている予想投与回数、現在時間、及び／又は次回投与が服用される時間などに関するあらゆる注意喚起又は通知の表示を含む。
【００４１】
服薬遵守管理システムの制御に関して、保持装置は、服薬遵守管理システム、特にシステムのデータ処理デバイスをユーザ入力によって制御することを可能にするユーザインタフェース、好ましくは制御パネルを含むことができる。システムのローカル制御は、リモート制御に加えて又はその代わりに実現することができる。
【００４２】
システムは、静止モードで非常に良好に作動させることができるが、それは、好ましくは外部電源から独立に同じく作動する。これは、患者がシステムを持ち歩くことを可能にする。システムは、殆どの時間に患者の近くに存在することができるので、薬の服用を忘れる確率が大きく低下する。
【００４３】
上述のシステム可動性は、好ましくは再充電可能バッテリによって達成又はサポートすることができる。バッテリは、保持装置に接続されるか又は好ましくは一体性の増大のために保持装置に封入することができる。
【００４４】
保持装置は、典型的には、データ処理デバイス及び／又は検出器デバイスのような服薬遵守管理システムのいくつかの構成要素を含有することができるハウジングを含む。好ましくは、レセプタクルは、デバイスのハウジングによって少なくとも部分的に形成される。これにより、保持装置は、その設計において単純及び小型であり、かつ患者にとって使用が容易である。
【００４５】
薬物容器がそれが作動位置に置かれた時に少なくとも部分的に可視であるようにハウジングを設計することにより、主治医のような第三者は、どの薬物がシステム内に装填されているか、及び薬物容器の充填レベルはどうであるかを容易に検査することができる。薬物容器での視野を鮮明にするために、保持装置は、ハウジング内に窓又は陥凹を特に含むことができ、及び／又は保持装置又はハウジングは、少なくとも部分的に透明とすることができる。
【００４６】
ハウジングは、ポリマー材料で作ることができ、又はポリマー材料を含むことができる。これは、機械的復元力及び汚れ、水、及び／又は化学薬剤に対する堅牢性を高める。
【００４７】
好ましくは、ハウジングは、柔らかい感触の材料で作られ、及び／又はその面は、柔らかい感触の材料で被覆される。これは、ユーザ又は患者が例えば服薬活動のためにシステム又は保持装置を都合良く把持することを可能にする。
【００４８】
保持装置、特にハウジングは、ハンドストラップ又は固定クリップを含むことができる。これは、患者がシステムを落とすリスクを低下する。
【００４９】
好ましい実施形態では、保持装置のハウジングは、少なくとも部分的に密封され、好ましくは実質的に水密及び／又は気密である。これは、風呂場、台所、又は屋外のような湿潤環境での使用にもシステムを適格にする。更に、保持装置の内側構成要素は、こうして体液又はあらゆる他の汚染に対して保護される。
【００５０】
好ましくは、レセプタクルは、薬物容器の外形に少なくとも実質的に似ている。薬物容器は、こうしてレセプタクルと薬物容器の間に実質的に全くクリアランスを伴わずにレセプタクルに嵌合することができる。これは、薬物容器の緊密適合をサポートし、かつレセプタクル内の容器の不注意な移動を防止する。更に、保持装置からの薬物容器の不要な切り離し及び更には薬物容器の紛失のリスクさえも大きく低下する。
【００５１】
レセプタクル内の薬物容器の緊密適合は、薬物容器が保持装置に関して固定位置から離脱することを防止する固定要素を用いて保証することができる。
【００５２】
患者情報リーフレットを薬物と共に維持するために、保持装置は、リーフレットを受け入れる区画又はポケットを含むことができる。区画又はポケットは、リーフレットを薬物容器と共に維持するためにレセプタクルの内側に設けることができる。個別のポケットを保持装置、特にハウジングの外側に形成する又は取り付けることが更に可能である。
【００５３】
保持装置、特にハウジングは、レセプタクルに関連付けられた蓋及び／又はカバーを含むことができる。それにより、薬物容器は、追加的に覆われ、従って、環境影響に対して又は薬品への無許可アクセスに対して保護することができる。
【００５４】
モニタする理由から、蓋及び／又はカバーはまた、例えば蓋スイッチのような検出手段を含むことができる。蓋又はカバーの検出手段は、追加で設けることができ、又は服薬遵守管理システムの検出器デバイスとして機能することができる。
【００５５】
独立に実現することができる本発明の別の態様により、服薬遵守管理システムの保持装置又はそのハウジングは、複数のモジュール式要素を含む。モジュール式要素は、服薬遵守管理システム又は保持装置が異なる服薬遵守管理の必要性に対して適応可能であるように好ましくは交換可能である。例えば、異なる交換可能モジュール式要素は、異なる検出器デバイス、通信デバイス、又は電源などを含むことができると考えられる。特に、異なる交換可能モジュール式要素は、保持装置が、必要に応じて異なる薬物容器に適合するように適応可能であるように、異なるサイズ及び／又は形状の薬物容器に対応することができる。
【００５６】
独立に実現することができる本発明の別の態様により、保持装置は、薬物容器を薬物容器の蓋とリザーバ間に好ましくは位置付けられたその肩部、首部、又は先細部で保持する又はそれに接続されるように設計される。
【００５７】
好ましくは、服薬遵守管理システムは、薬物容器をその底部で及び／又は下から保持又は支持し、一方で同じく薬物容器をその肩部、首部、又は先細部で保持する又はそれと接続されるようになっている。
【００５８】
これに代えて、服薬遵守管理システムは、薬物容器が好ましくはその肩部、首部、又は先細部で保持されている間に保持装置内で垂れ下がるようになっている。薬物容器は、その肩部、首部、又は先細部で保持されるので、リザーバは、保持装置のレセプタクル内で自由に垂れ下がることができる。特に、レセプタクルは、薬物容器又はリザーバに似ている必要はない。
【００５９】
これに代えて、保持装置は、特に薬物容器の肩部、首部、又は先細部上で又はそこで薬物容器上に垂れ下がるように適応させることができる。
【００６０】
好ましくは、レセプタクルは、異なる形状及び／又はサイズの薬物容器を受け入れるように設計される。これは、異なる薬物容器に対して、特に、いずれのモジュール式部品も交換する必要なく同じ保持装置を使用することを可能にする。
【００６１】
独立に実現することもできる本発明の別の態様により、保持装置は、薬物容器を保持及び／又は固定するために互いに対して移動可能である少なくとも２つの要素を含む。特に、服薬遵守管理システムは、作動不能状態及び作動状態という２つの異なる状態にあることができる。
【００６２】
作動不能状態では、要素は、好ましくは、薬物容器を保持装置内に容易に挿入することができるように互いに対して位置決めされる。薬物容器が挿入された後にこれらの要素を互いに対して移動することは、服薬遵守管理システムを薬物容器が保持装置内で確実に保持及び／又は固定されるその作動状態にもたらす。
【００６３】
独立に実現することもできる本発明の別の態様により、保持装置は、異なるサイズ及び／又は異なる形状の薬物容器に適応するために互いに対して移動可能である少なくとも２つの要素を含む。特に、要素は、保持装置が高さ調節可能であり、従って、異なる高さの薬物容器を保持する又は受け入れることができるように移動可能である場合がある。移動可能要素は、互いに対する移動に対して特に解除可能にロック可能であり、特に好ましくは、異なるサイズ及び／又は形状、特に異なる高さの薬物容器に対応する互いに対する異なる位置に解除可能にロック可能である。
【００６４】
独立に実現することができる本発明の別の態様により、服薬遵守管理システム又は保持装置は、薬物容器の蓋を受け入れてそれと圧力嵌め方式、適合方式、及び／又はスナップ方式で接続するようになったキャップを含む。キャップは、好ましくは、蓋の上に上部からクリップ留めする又は差し込むことができる。特に、キャップは、それらの両方が薬物容器のリザーバから取り外し可能及びそれに取り付け可能であるユニットを形成するように蓋に係合する。キャップは、蓋保護として寄与することができ、かつ更に別の検出手段を含むことができる。薬物容器は、保持装置内に保持されている間に、キャップを取り外すことにより、好ましくは、特に薬物容器の蓋と共にねじり外すことにより、及び／又は最初にキャップを次にその後に蓋を取り外す必要なしに開放することができる。
【００６５】
そのようなキャップを設けることにより、薬物容器は、特に保持装置から突き出る蓋のようないずれの部品もなしに保持装置に完全に受け入れることができる。これは、薬物容器及び／又は薬物を環境影響から保護し、及び／又は薬物容器を無許可アクセスから封印することを可能にする。しかし、キャップと蓋が一緒に取り外し可能であることにより、特に薬物容器が保持装置に保持されている間に薬物容器を開放して薬物を取り出すのは依然として容易である。
【００６６】
本発明の以上の態様及び以下に説明する更に別の態様は、互いに独立にかつあらゆる組合せで実現することができる。
【００６７】
本発明の更に別の利点、特徴、特性、及び態様は、特許請求の範囲及び図面を参照する好ましい実施形態の以下の説明から明らかになるであろう。
【図面の簡単な説明】
【００６８】
【図１】服薬遵守管理システムの第１の実施形態の概略断面側面図である。
【図２】服薬遵守管理システムの第２の実施形態の概略断面側面図である。
【図３】その作動状態及び／又は薬物容器が挿入された状態にある服薬遵守管理システムの第３の実施形態の概略斜視図である。
【図４】作動不能状態及び／又は薬物容器が保持装置から取り外された状態にある図３に記載の服薬遵守管理システムの概略斜視図である。
【図５】その作動不能状態及び／又は薬物容器が保持装置から取り外された状態にある服薬遵守管理システムの第４の実施形態の概略斜視図である。
【図６】薬物容器が挿入された状態及び／又は作動状態にある図５に記載の服薬遵守管理システムの概略断面側面図である。
【図７】服薬遵守管理システムの第５の実施形態の分解斜視図である。
【図８】図７に示す実施形態によるキャップの概略断面側面図である。
【図９】図８の線ＩＸ−ＩＸに沿った水平断面の概略図である。
【図１０】服薬遵守管理システムの第６の実施形態の分解斜視図である。
【図１１】薬物容器が挿入された状態及び／又は作動状態にある服薬遵守管理システムの第７の実施形態の概略斜視図である。
【図１２】薬物容器が保持装置から取り外された状態及び／又は作動不能状態にある図１１の服薬遵守管理システムの概略斜視図である。
【図１３】図１１に記載の服薬遵守管理システムの概略断面側面図である。
【図１４】図１２に記載の服薬遵守管理システムの概略前面図である。
【図１５】服薬遵守管理システムの第８の実施形態の概略断面側面図である。
【００６９】
図では、同一又は類似部分に対して同じ参照番号を用いており、関連の説明を繰り返さない場合であっても対応する又は同等の性質及び利点を好ましくはもたらす。
【発明を実施するための形態】
【００７０】
服薬遵守管理システム１０の好ましい実施形態を図１に示している。システム１０は、薬物容器２００を保持する又はそれに接続するためのレセプタクル１０１を有する保持装置１００を含む。
【００７１】
保持装置１００又はレセプタクル１０１は、市販の一般的なタイプのバルク薬物容器２００の使用に適している。この例では、薬物容器２００は、例えば、薬局又は薬店で広く利用可能な又は製薬会社によって予め充填された薬瓶の形態を有する。好ましくは、本発明に関して、薬物容器２００の形状は、図示の瓶形態に限定されない。他の形状、サイズ、及びタイプの薬物容器２００も同等に保持装置１００と併用することができる。
【００７２】
保持装置１００は、異なる薬物容器２００に対して各々適応させることができる又は薬物容器２００の異なる形状の万能適合に向けて設計することができるそのいずれかである。これに代えて又はこれに加えて、保持装置１００又はレセプタクル１０１は、それ自体を異なるタイプ又はサイズの薬物容器２００に適応させるために入れ替えることができる１又は２以上の交換可能部品又はインサートを含むことができる。
【００７３】
薬物容器２００は、保持装置１００のレセプタクル１０１内に入れられる及び／又はそれによって保持される。
【００７４】
好ましくは、レセプタクル１０１は、上向きに開いている及び／又は薬物容器２００の下側部品を受け入れる。
【００７５】
特に、レセプタクル１０１は、薬物容器２００を受け入れる開口部を形成する又はそれを含む。
【００７６】
図示の実施形態では、特に、薬物容器２００がレセプタクル１０１内に受け入れられている又はそれによって保持されている間に薬物容器２００の蓋２０１がアクセス可能である及び／又はそれを開放及び閉鎖することができるように、薬物容器２００は、外向きに又は保持装置１００又はレセプタクル１０１の上向きに延びることができる。
【００７７】
しかし、薬物容器２００は、レセプタクル１０１内に完全に挿入する又は完全に受け入れることができる。その場合であっても、システム１０及び／又は保持装置１００、並びに薬物容器２００は、薬物容器２００又はその蓋２０１を開放又は閉鎖することができるようになっている。
【００７８】
服薬遵守管理システム１０の作動位置は、好ましくは、薬物容器２００が、保持装置１００内で直立状態で、特に、薬物容器２００の開口部及び／又はその蓋２０１又は別のカバーが薬物容器２００及び／又は服薬遵守管理システム１０の上面に位置する状態で保持されるようなものである。
【００７９】
保持装置１００は、服薬遵守管理システム１０が好ましい作動位置にある時にテーブルのような水平平面上に載るように適応された底部又はベース１２０を好ましくは含む。特に、底部又はベース１２０は、薬物容器２００の開口部、蓋２０１、又は他のカバーの反対に位置付けられる。
【００８０】
上述した作動位置は、服薬遵守管理システム１０の好ましい向きを定める。特に、服薬遵守管理システム１０の向きに依存する以下の説明に使用する用語及び表現、例えば、「水平」、「垂直」、「上方」、又は「下方」は、明示的に述べない場合であってもこの好ましい向きを指す。
【００８１】
しかし、服薬遵守管理システム１０は、機能するのに好ましい作動位置にある必要はなく、例えば、服薬遵守管理システム１０は、例えば、バッグ又はポケット内で持ち運ばれる時にその垂直側面のうちの１つに上に位置し、又はいずれかの他の向きにあることができると考えられる。
【００８２】
好ましくは、保持装置１００は、特に、薬物容器２００又はその蓋２０１が開放及び閉鎖される度に、及び／又は薬物容器２００の重量が薬物容器２００によって形成されたリザーバ２０２内に含有される薬物２０３の好ましくは少なくとも約１投与量の重量だけ変化又は減少する度に薬物容器２００の開放及び閉鎖を無線で又は遠隔に認識するための、薬物容器２００を計量するための、及び／又は服薬活動を登録するための検出器デバイス１０２及び／又はデータ処理デバイス１０３を含む。
【００８３】
検出器デバイス１０２とデータ処理デバイス１０３は、別個のデバイスによって形成することができる。これに代えて、データ処理デバイス１０３は、検出器デバイス１０２を含む又はそれを形成することができ、又はその逆も同様である。
【００８４】
好ましくは、保持装置１００は、それを垂直平面及び／又は水平平面に締結することができるように設計される。この目的のために、保持装置１００又はそのハウジング１０８には、自動接着テープ、爪、ネジ、又は開口などのような締結手段を設けることができる。好ましくは、服薬遵守管理システム１０は、薬物容器２００を含み、又は複数の薬物容器２００との組合せで保持装置１００のキットを形成する。
【００８５】
作動時には、服薬遵守管理システム１０又は保持装置１００は、薬物容器２００のあらゆる開放及び閉鎖をモニタする。特に、検出器デバイス１０２は、薬物容器２００の蓋２０１の開放及び閉鎖を認識する。この開放及び閉鎖は、一投与量の薬物２０３を取り出すために薬物容器２００のリザーバ２０２にアクセスするのに必要である。従って、開放及び閉鎖が認識された場合に、少なくとも１投与量の薬物２０３が薬物容器２００から取り出されて患者によって服用されたと結論付けることができる。この仮定的な薬物２０３の取り出しを服薬活動と呼び、それは、薬物容器２００が開放及び閉鎖される度に登録される。
【００８６】
容器２００又はその蓋２０１の開放と閉鎖の両方の認識又は検出は確実であり、及び／又は次の開放を確実に検出することができることを保証することを指摘しておきたい。しかし、理論的にかつ本発明により、容器２００の開放のみを検出し、それを既に服薬活動として登録することができる。
【００８７】
好ましくは、開放と閉鎖が認識又は検出され、両方が発生した時のみ服薬活動が登録されるが、それは開放に関連付けられている。すなわち、ユーザが薬物容器２００の取り外しの（直）後又は予め決められた時間制限以内に薬物容器２００を閉鎖し忘れるということが発生する可能性がある。次に、保持装置１００又はデータ処理デバイス１０３がユーザに注意を促すことができる。更に、服薬活動を薬物容器２００の閉鎖時点に関連付ける時に発生する可能性があると考えられる不正な時間関係を防止するために、服薬活動は、必ず薬物容器２００の開放時点に関連付けることができる。
【００８８】
好ましくは、服薬活動は、開放が検出された後の指定期間以内に閉鎖が登録された時にのみ登録される。
【００８９】
特に、服薬活動は、開放が薬物２０３を取り出すには短すぎる時、例えば、数秒よりも短い時には登録されない。
【００９０】
薬物容器２００が過度に長い間にわたって開放されたままに留まっている場合に、薬物２０３が取り出されたか否かの信頼性の高い結論を出すことができない。好ましくは、この場合に、可能な服薬活動は、全く登録されないか、又は登録されて上述したように開放時間に関連付けられるが、同じく薬物容器２００が過度に長い間にわたって開放されていたというエラー又は警告が、特に好ましくは薬物容器２００が開放状態に留まっていた時間と共に割り当てられるかのいずれかである。
【００９１】
特に、薬物容器２００の閉鎖の検出の後に、システム１０は、非作動モード又は待機モードに好ましくは自動的に入ることができる。システム１０は、服薬活動が予定されている時にのみ及び／又はシステム１０がユーザ又は患者によって直接的又は遠隔にアクセスされる時に好ましくは自動的に作動モード又は検出モードに好ましくは入る。
【００９２】
検出器デバイス１０２による開放及び閉鎖の検出は直接実施することができる。この場合に、検出器デバイス１０２は、例えば、保持装置１００に対する薬物容器２００の蓋２０１の動きを認識することができる。この認識は、視覚ベースで、例えばカメラを用いて行われ、及び／又は検出器デバイス１０２に対して変化する蓋２０１の近接度、位置、又は傾きを検出することによって行うことができる。
【００９３】
好ましくは、薬物容器２００は、検出器デバイス１０２による開放及び閉鎖の検出をサポートする又は可能にするための検出ユニット２０４を含む。検出ユニット２０４は、薬物容器２００内に組み込む、薬物容器２００に取り付ける、例えば印刷する、又は薬物容器２００又は蓋２０１上に配置することができる。これに代えて又はこれに加えて、検出ユニット２０４は、別個に与えて後の時点、例えば、容器２００をレセプタクル１０１内に入れる時に薬物容器２００又は蓋２０１に取り付けることができる。
【００９４】
特に好ましくは、検出ユニット２０４は、薬物容器２００にその上部又は周囲側面で、特に蓋２０１の上部又は周囲側面で取り付けられる。
【００９５】
検出ユニット２０４は、受動検出可能要素、特に検出器デバイス１０２が視覚的に検出することができる参照パターン、又は磁石、及び／又はＲＦＩＤタグのような電子参照要素を含む又はそれによって形成することができる。そのような検出ユニット２０４は、検出器デバイス１０２が好ましくは無線で検出することができ、これを図１に破線に示している。
【００９６】
薬物容器２００の検出ユニット２０４は、これに代えて又はこれに加えて、センサを含む。従って、例えば、薬物容器２００の蓋２０１の実際の開放状態又は位置を測定することができる。
【００９７】
特に、検出ユニット２０４のセンサは、検出器デバイス１０２が遠隔に無線で読み取ることができる信号を生成することができる。この場合に、例えば、開放活動に起因する蓋２０１の傾斜は、傾斜センサによって認識されることになり、それが検出器デバイス１０２によって検出される。
【００９８】
これに代えて又はこれに加えて、服薬活動を検出するために及び／又はシステム１０を非作動モード又は待機モードから作動モード又は検出モードに移行させるために、システム１０、保持装置１００、及び／又は薬物容器２００の傾斜、持ち上げ、及び／又は移動を検出するためのセンサを設けることができる。
【００９９】
システム１０、保持装置１００、及び／又は薬物容器２００の傾斜を検出することは、システム１０、保持装置１００、及び／又は薬物容器２００が服薬活動のための正しい位置にない場合に、特に視覚化デバイス及び／又は通知デバイス１０４によって警告を生成するのに利用することができる。
【０１００】
薬物容器２００の開放及び閉鎖の視覚検出に向けて、保持装置１００又は検出器デバイス１０２は、フォトダイオード又はＣＣＤカメラなどのような光センサを含むことができる。例えば、カメラを用いて薬物容器２００の蓋２０１を撮像することができ、それによって画像の変化が開放又は閉鎖を示す。
【０１０１】
検出ユニット２０４の機能における参照パターンのような光学参照要素の場合に、保持装置１００又はデータ処理デバイス１０３は、それを認識して開始パターンと比較することができる。検出器デバイス１０２によって撮像された参照パターンの形状の逸脱は、開放又は閉鎖を示す薬物容器２００の蓋２０１の動きを登録するために検出して評価することができる。
【０１０２】
これに代えて又はこれに加えて、検出ユニット２０４は、この場合は磁気スイッチ又は磁気センサなどを好ましくは含む検出器デバイス１０２と相互作用する磁石を含む又はそれによって形成することができる。蓋２０１を開放することにより、検出ユニット２０４の磁石を検出器デバイス１０２に向けて近づける又はそれから遠ざけることができ、それによって検出器デバイス１０２の磁石スイッチが作動される。それにより、データ処理デバイス１０３が読み取ることができる信号を生成することができる。
【０１０３】
薬物容器２００の検出ユニット２０４がＲＦＩＤタグのような電気的に検出可能な要素を含む場合に、その機能原理は、磁石の場合に関して説明したものと同様である。ＲＦＩＤタグを有する検出ユニット２０４を担持する蓋２０１の移動は、保持装置１００の検出器デバイス１０２に対する検出ユニット２０４の位置を変化させる。次に、タグは、検出器デバイス１０２が遠隔に読み取ることができ、検出器デバイス１０２は、相応の信号をデータ処理デバイス１０３に送信する。
【０１０４】
これに代えて又はこれに加えて、一方で検出ユニット２０４又はＲＦＩＤタグと他方で検出器デバイス１０２とは、薬物容器２００の存在、開放、及び／又は閉鎖を検出することができるような近接センサ又は近接スイッチを形成することができる。
【０１０５】
薬物容器２００に関連付けられた検出ユニット２０４又はＲＦＩＤタグは、薬物容器２００の名称、パッケージングサイズ、及び／又は投薬量のような薬物２０３及び／又は服薬計画に関する情報を担持することができ、これらの情報は、特に、薬物容器２００がレセプタクル１０１内に入れられる時又は挿入の前に読み取ることができる。
【０１０６】
検出ユニット２０４又はＲＦＩＤチップ上のデータは、データ処理デバイス１０３が解釈し、特に、特定の又は電子的な服薬計画に好ましくは依存する事前設定又は処方された薬物又は投与量と比較することができる。
【０１０７】
上述の例とは別に、保持装置１００又は検出器デバイス１０２は、これに代えて又はこれに加えて、検出ユニット２０４との及び／又は少なくとも部分的に薬物容器２００又はその蓋２０１との光学的、触覚的、遠隔的、及び／又は超音波的な相互作用機能を有することができる。
【０１０８】
これに代えて又はこれに加えて、保持装置１００又は検出器デバイス１０２は、薬物容器２００を計量し、薬物容器２００が薬物２０３の約１投与量の重量を失う度に服薬活動を登録するように適応させることができる。この目的のために、保持装置１００又は検出器デバイス１０２は、計量器又は計量センサ、例えば、圧電要素又は歪みゲージを含むことができる。
【０１０９】
更に、保持装置１００又は検出器デバイス１０２は、薬物容器２００の開放及び閉鎖を検出するように相補的に協働する上述のタイプのいくつかの検出手段を含むことができる。この相補的な協働は、異なる検出原理に基づく検出手段を重複して設けることによって好ましくは達成される。それにより、開放活動及び閉鎖活動が全て検出されること又は誤検出結果を排除することができることのいずれかを保証することができる。
【０１１０】
検出器デバイス１０２は、薬物容器２００の蓋２０１に隣接して、及び／又は薬物容器２００を挿入するための及び／又は薬物容器２００の蓋２０１にアクセスするためのレセプタクル１０１の開口部に隣接して好ましくは配置されることに注意しなければならない。
【０１１１】
検出器デバイス１０２は、一般的に、薬物容器２００に対する異なる場所に位置付けることができる。薬物容器２００の蓋２０１又はレセプタクル１０１の開口部に隣接する配置の代わりに又はそれに加えて、検出器デバイス１０２は、レセプタクル１０１の底部又はいずれかの側部に位置付ける又は薬物容器２００の底部又はいずれかの側部に関連付けることができる。
【０１１２】
これに代えて又はこれに加えて、検出器デバイス１０２は、システム１０内に装填された、すなわち、レセプタクル１０１内に入れられた薬物２０３及び／又は薬物容器２００を認識する機能を有することができる。この認識は、例えば、薬物容器２００上のバーコード及び／又はＥＡＮ番号を読み取ることによって実行することができる。しかし、いずれかの他の認識方法、例えば、光学文字認識（ＯＣＲ）、ＲＦＩＤ技術等も可能である。
【０１１３】
好ましくは、検出器デバイス１０２によって生成された信号は、それぞれデータ処理デバイス１０３に送られる又はそれによって読み取られる。
【０１１４】
データ処理デバイス１０３は、電子回路、特にマイクロプロセッサを好ましくは含む。データ処理デバイス１０３は、値を読み取る及び／又は出力し、これらの値を用いて計算を実施するために異なる値の比較のような複雑な演算及び／又は計算を実施することが好ましい。
【０１１５】
特に、データ処理デバイス１０３及び／又は検出器デバイス１０２は、登録された服薬活動、特に薬物容器２００の開放及び閉鎖の回数及び／又は時点を決定、計数、及び／又は格納する機能、並びに好ましくはこれらのデータ又は実際の活動回数を基準値又は望ましいスケジュールと比較する機能を好ましくは有する。
【０１１６】
保持装置１００又はデータ処理デバイス１０３は、データ処理デバイス１０３に送信された又はそれによって生成されたデータを格納するためのメモリ１０３Ａを含むことができる。メモリ１０３Ａは、データ処理デバイス１０３内に組み込むことができ、又は保持装置１００の内部又は外部に別個に配置することができる。
【０１１７】
保持装置１００又はデータ処理デバイス１０３は、時間ベース１０３Ｂを更に含むことが非常に好ましい。それにより、登録される事象又は活動にタイムスタンプを付加することが可能になる。服薬活動が検出された場合に、その事象の時間及び／又は日付を格納及び／又は評価することができる。登録された活動の時間及び／又は日付の評価は、事象の実際の時間及び／又は日付と格納された基準又は望ましい時間及び／又は日付との比較を含むことができる。
【０１１８】
更に、服薬遵守管理システム１０、特に保持装置１００は、システム１０の環境の状況及び／又は場所に関する情報を収集するための手段を含むことができる。この手段は、ＧＰＳ受信機のような測位チップ、及び／又は温度センサ、湿度センサ、又は圧力センサなどを含むことができる。
【０１１９】
これに代えて又はこれに加えて、保持装置１００又はデータ処理デバイス１０３は、外部信号、特に時間及び／又は日付を受信、格納、及び／又は評価する機能を有することができる。これらの信号は、例えば、インターネット又は別のネットワーク、無線送信、又は外部デバイス３００などを通して好ましくは無線で受信することができる。
【０１２０】
好ましくは、保持装置１００又はデータ処理デバイス１０３は、服薬活動の表示及び関連の時点、所望又は所要のスケジュールからのいずれかの相違、活動に関する統計情報、いずれかの注意又は通知、例えば、予定からの服薬活動の遅滞、予定からの薬物容器２００の閉鎖の遅滞、予想される薬物容器２００の入れ替え又は補充、薬物容器２００内で既に消費された又は依然として入っている投与量の予想数、現在の時間、又は次回投与量を服用される時間などに関するものを含むことができる活動情報を格納、表示、出力、及び／又は通信することができる。
【０１２１】
好ましくは、保持装置１００は、視覚化デバイス及び／又は通知デバイス１０４を含む。例えば、活動情報を視覚化デバイス１０４が表示することができる。このようにして、患者に、例えば、一投与量の薬物２０３を服用する次の時間に対して通知することができ、又は患者がある一定期間遅滞している場合に薬を服用するように注意を促すことができる。
【０１２２】
視覚化デバイス１０４及び／又は活動情報は、計数された薬服用回数、薬物容器２００の最後の入れ替えからの時間、直近の薬物服用からの時間、スケジュール上の薬の服用までの時間、又はバッテリ残量などのようなデータを患者に提示するために使用することができる。
【０１２３】
視覚化デバイス及び／又は通知デバイス１０４は、ディスプレイ１０４Ａ、音響インジケータ、光学インジケータ、及び／又は振動インジケータを含むことができる。異なる通知ユニット又は視覚化デバイス１０４の組合せを設ける可能性もある。
【０１２４】
これに代えて又はこれに加えて、服薬遵守管理システム１０は、それ自体を特にデータ処理デバイス１０３をユーザ入力によって制御することを可能にするユーザインタフェース１０５、好ましくは、制御パネル、例えば、１又は２以上のボタン又はタッチ画面などを含むことができる。ユーザインタフェース１０５は、保持装置１００の一部として、これに代えて又はこれに加えて、遠隔制御器のような外部デバイス３００の形態で、又はコンピュータ又はスマート電話又はタブレットコンピュータのようなモバイルデバイスのためのソフトウエアベースのアプリケーションとして実現することができる。
【０１２５】
ユーザインタフェース１０５は、基準値又はスケジュールを設定するために、薬物容器２００の入れ替え後にシステム１０をリセットするために、メモリ１０３Ａに格納された値を選択するために、データ処理デバイス１０３を表示するために、又は別途プログラムするために使用することができる。
【０１２６】
しかし、服薬遵守管理システム１０又は保持装置１００は、薬物容器２００の入れ替えを自動的に認識するように、かつシステム１０を又はメモリ１０３Ａに格納された残りの丸薬数のようなある一定の値を相応にリセットするように好ましくは適応される。
【０１２７】
更に、保持装置１００、視覚化デバイス１０４、及び／又はユーザインタフェース１０５は、患者との高度なコミュニケーションを可能にすることができる。例えば、患者は、システム１０又は遠隔場所にいる人物によって示された問題に返答することができ、又は遠隔医療用途に携わる看護師、医師、又は別の医療専門家のような人物と電話する、テキストチャットする、又はビデオチャットすることができる。
【０１２８】
服薬遵守管理システム１０及び／又は保持装置１００は、外部デバイス３００及び／又はネットワークと通信するための通信デバイス１０６を更に含むことができる。
【０１２９】
通信デバイス１０６は、好ましくは無線のデジタルデータインタフェース、特にシリアルポート、ＵＳＢポート、イーサネット（登録商標）ポート、ＷＬＡＮモジュール、ＧＳＭ（登録商標）モジュール、及び／又はＢｌｕｅｔｏｏｔｈ（登録商標）モジュールを含むことができる。そのような普及したタイプのインタフェースは、既存のネットワークにおいて容易な接続及び統合を保証する。
【０１３０】
データ処理デバイス１０３は、遠隔場所にある外部デバイス３００とすることができる受信機と通信するために通信デバイス１０６を好ましくは使用することができる。この場合に、データ処理デバイス１０３は、通信デバイス１０６を通してデータを送信し、すなわち、送信及び／又は受信する機能を有するように好ましくは設計される。受信機又は外部デバイス３００は、特にモバイルデバイス、スマート電話、タブレット、コンピュータ、サーバ、又はデータセンターとすることができる。
【０１３１】
好ましい実施形態では、データ処理デバイス１０３は、ユーザインタフェース１０５及び／又は通信デバイス１０６を通して遠隔制御可能である。この遠隔制御可能性は、ユーザインタフェース１０５又は通信デバイス１０６を通して服薬遵守管理システム１０の設定をそれに接続されたデバイス上で実行されるソフトウエアアプリケーションの形態で構成する可能性を含むことができる。服薬遵守管理システム１０の遠隔制御は、これに代えて又はこれに加えて、インターネット接続を通じて、特にモバイルネットワーク上で接続された遠隔場所から実行することができる。
【０１３２】
好ましくは、保持装置１００又はシステム１０は、外部デバイス３００が制御する、プログラムする、作動させる、及び／又は停止させることができる。外部デバイス３００は、ユーザインタフェース１０５及び／又は通信デバイス１０６を通して保持装置１００又はシステム１０と接続又は通信することができる。
【０１３３】
好ましくは、外部デバイス３００は、保持装置１００又はシステム１０、特にデータ処理デバイス１０３によって供給される活動情報を読み取る、表示する、及び／又は処理することができる。
【０１３４】
高い可動性に向けて、服薬遵守管理システム１０、特に保持装置１００は、外部電源から作動的に独立したものとすることができる。従って、保持装置１００は、好ましくは充電可能なバッテリ１０７を含むことができ、又はそのようなバッテリ１０７を保持装置１００に関連付けることができる。バッテリ１０７は、保持装置１００の外部に配置することができるが、好ましくは、保持装置１００内に組み込まれる。
【０１３５】
バッテリ１０７は、消耗後に容易に交換可能であるように設計することができる。これに代えて又はこれに加えて、バッテリ１０７は、再充電可能であることが好ましい。バッテリ１０７の充電は、広く使用されているＵＳＢポート、好ましくは、ミニＵＳＢポート又はマイクロＵＳＢポートを好ましくは通じて実施することができる。有利なことに、バッテリ１０７を充電する機能とシステム１０との通信の機能とに向けて共通のＵＳＢポートが共有される。
【０１３６】
データ処理デバイス１０３から例えばデータセンターに通信デバイス１０６を通してデータを送信することにより、例えば、医療専門家は、システム１０のステータス、データ、及び活動情報を検査及び評価し、ローカルシステム１０に信号を送信することによって患者に対して好ましくは遠隔に助言を与えることができる。視覚化デバイス１０４又はスマート電話のような接続されたデバイスは、次に、取るべきアクションに関して患者に通知することができる。
【０１３７】
更に、医療専門家は、服薬遵守管理システム１０をプログラムすること及び／又はそのソフトウエアを遠隔場所から更新することができる。
【０１３８】
図１に描くように、保持装置１００は、システム１０の異なる構成要素を好ましくは含むハウジング１０８を好ましくは含む。好ましい実施形態では、レセプタクル１０１は、保持装置１００のハウジング１０８によって形成される。
【０１３９】
保持装置１００、特にハウジング１０８は、説明のための刻印及び／又はステッカーを更に含むことができる。
【０１４０】
機械応力、温度、湿度に関して、及び／又は化学物質に対する保持装置１００の復元力を高める目的で、ハウジング１０８は、ポリマーのような堅牢な材料で好ましくは作られる又はそれを含む。例えば、異なるポリマー及び／又は金属のような異なる材料から構成された複合材を使用することができる。特に好ましくは、ハウジング１０８は、感触が柔らかい材料で作られ、又は柔らかい感触の材料で被覆され、患者又はユーザがシステム１０又は保持装置１００を把持することを可能にする。
【０１４１】
ハウジング１０８は、少なくとも部分的に密封され、好ましくは、実質的に水密及び／又は気密であるように更に設計することができる。従って、保持装置１００、従って、服薬遵守管理システム１０は、湿潤環境内、例えば、風呂、台所内、又は高い湿度に又は水霧にさえも露出される屋外での使用に適することができる。
【０１４２】
好ましくは、保持装置１００又はレセプタクル１０１は、関連の薬物容器２００を形態嵌合又は圧力嵌めによって保持することができるように形成又は適応される。
【０１４３】
レセプタクル１０１は、カップ状の形態を有することができる。
【０１４４】
好ましくは、レセプタクル１０１は、薬物容器２００の側部及び底部を取り囲み、蓋２０１がアクセス可能であるように薬物容器２００を保持する。
【０１４５】
好ましくは、レセプタクル１０１は、図１に示すように、薬物容器２００の外形に少なくとも実質的に似ている。
【０１４６】
好ましくは、保持装置１００又はハウジング１０８は、薬物容器２００をレセプタクル１０１内に固定又は保持するための１又は２以上の固定要素１０８Ａを含む。要素１０８Ａは、例えば、図示の薬瓶の先細部内に係合する突起の形態を含むことができる。固定要素１０８Ａは、薬物容器２００が、特にレセプタクル１０１内の固定位置から離脱することを防止する。
【０１４７】
薬物容器２００の先細部は、例えば、図１に示すように、特に薬物容器２００の首部２０７及び／又は肩部２０９によって形成される。
【０１４８】
任意的に、１又は２以上の固定要素１０８Ａは、可撓性、可動、又はピボット回転可能にすることができる。
【０１４９】
これに代えて、レセプタクル１０１又は固定要素１０８Ａを屈曲させて互いに離し、それによって薬物容器２００を取り外す又は挿入することができるようにハウジング１０８又は少なくともその一部が可撓性を有することができる。
【０１５０】
別様に成形された薬物容器２００の場合に、保持装置１００の固定要素１０８Ａは、相応に設計され、すなわち、薬物容器２００の外形に適応させることができる。
【０１５１】
保持装置１００は、例えば、テーブル又はサイドボードなどの上に配置することができる独立型デバイスを形成することができる。
【０１５２】
これに代えて又はこれに加えて、保持装置１００は、服薬遵守管理システム１０の移動性をサポートするために、図面には示していないハンドストラップ又は固定クリップを含むことができる。それにより、保持装置１００を落とすリスクも低下する。
【０１５３】
保持装置１００又はハウジング１０８は、薬物容器２００内の薬物２０３に関する患者情報リーフレットを維持するための別個の区画１０１Ａ又はポケットを含むことができる。図面に描くように、区画１０１Ａ又はポケットは、薬物容器２００と共にレセプタクル１０１内に位置付けられる又は保持装置１００の外側にあるハウジング１０８に取り付ける又はそれによって形成することができる。
【０１５４】
好ましくは、保持装置１００、特にハウジング１０８は、作動位置にある時、すなわち、レセプタクル１０１内では薬物容器２００が少なくとも部分的に可視であるように設計される。ハウジング１０８は、薬物容器２００の一部を露出させる窓を含む又はハウジング１０８内に陥凹さえも含むことができ、従って、薬物容器２００を完全には覆わない。従って、薬物容器２００をレセプタクル１０１から取り外すことなく薬物容器２００上のラベルなどを読むことができる。同様に、服薬遵守管理システム１０を分解することを必要とせずに薬物容器２００の充填レベルを容易に検査することができる。上述のタイプの窓又は陥凹は、図面の断面図では見ることができないことに注意しなければならない。これに代えて又はこれに加えて、保持装置１００及び／又はハウジング１０８は、少なくとも部分的に透明にすることができる。
【０１５５】
以下では、本発明の更に別の実施形態を特に図２から図１５に基づいて説明することにし、対応する相違点又は追加の態様だけに重点を置く。以前の説明は、それを繰り返さない場合であっても類似の特徴及び利点に好ましくは適用され、かつそれらに至る。
【０１５６】
図２は、服薬遵守管理システム１０の第２の実施形態を図１と類似の概略断面図に示している。第２の実施形態では、特に異なるタイプの薬物容器２００を示している。
【０１５７】
好ましくは、薬物容器２００は、厚紙箱パッケージである。
【０１５８】
好ましくは、薬物２０３は、図１に描くような薬瓶の代わりにブリスター２０５内で個々の投与量の形態で送出される又は受け入れられる。薬物容器２００のリザーバ２０２内に１又は２以上のブリスター２０５が入れられる。
【０１５９】
薬物容器２００は、１又は２以上のブリスター２０５を含むことができる。各ブリスター２０５は、薬物投与量を有する１又は２以上のポケットを含むことができる。
【０１６０】
厚紙パッケージは、ブリスター２０５及び薬物２０３にアクセスするために開放しなければならない少なくとも１つの蓋２０１を含む。
【０１６１】
厚紙パッケージの場合にも、薬物容器２００の開放及び閉鎖は検出器デバイス１０２が検出することができる。しかし、薬物容器２００がレセプタクル１０１内に着座している間に保持装置１００の外部から薬物２０３だけにアクセスするのは実行不能である場合がある。従って、保持装置１００は、患者が単一投与量の薬物２０３を薬物容器２００内のブリスター２０５から取り出すために薬物容器２００をレセプタクル１０１から取り外した時に開放及び閉鎖、又はより一般的には薬物容器２００又は薬物２０３へのアクセスを検出することができるように設計することができる。従って、薬物容器２００の取り外し及び再挿入を認識し、服薬活動として登録することができる。
【０１６２】
この目的のために、レセプタクル１０１は、保持装置１００からの薬物容器２００の容易な取り外しをサポートするように成形又はサイズ決定することができる。
【０１６３】
第２の実施形態では、薬物容器２００は、異なる場所に１つの検出ユニット２０４を含む又は検出器デバイス１０２による最適な検出能を保証するいくつかの検出ユニット２０４を含むことができる。薬物容器２００の開放活動及び閉鎖活動は、レセプタクル１０１からの薬物容器２００の取り外しと共に検出することができる。好ましくは、検出器デバイス１０２は、１つの検出ユニット２０４の通過を検出する機能を有する。この検出は、例えば、通過するＲＦＩＤタグ、磁石、又は視覚検出可能参照パターンを検出することによって実施することができる。
【０１６４】
特に厚紙箱パッケージの形態にある薬物容器２００の場合に、２又は３以上の検出ユニット２０４を設けることが適切である場合がある。例えば、厚紙箱パッケージが両方の端部で開放可能である場合に、各端部に個々の検出ユニット２０４を装備することができる。この場合に、ユーザには、薬物容器２００をレセプタクル１０１内に挿入又は再挿入する時に薬物容器２００の向きを特定の方式で定めることが必要とされない。
【０１６５】
検出器デバイス１０２は、レセプタクル１０１からの薬物容器２００の出て行く動き、並びに保持装置１００への薬物容器２００の戻りを好ましくは検出する。従って、開放活動及び閉鎖活動の代わりとして又はこれに加えて、取り外し活動及び戻し入れ活動が、服薬活動、すなわち、患者による薬服用として登録される。
【０１６６】
任意的に、保持装置１００は、レセプタクル１０１の入口にピボット回転可能に配置することができるカバー１０９を含む。
【０１６７】
好ましくは、カバー１０９は、レセプタクル１０１を密封方式で覆い、特に、薬物容器２００及び薬物２０３を汚れ及び／又は湿気のような環境影響から保護する。
【０１６８】
これに代えて又はこれに加えて、カバー１０９は、患者又は主治医のような権限を有する人物にしかレセプタクル１０１内の薬物容器２００へのアクセスを可能にしない児童アクセス防止として機能することができる。
【０１６９】
特に、薬物容器へのアクセスに関してユーザインタフェース１０５を通してユーザに権限を付与することができる。例えば、個人アンロッキングコードをユーザインタフェース１０５を通して入力することができる。
【０１７０】
カバー１０９も、薬物容器２００へのアクセスを特定の時間にしか可能にしない可能性を与える。この目的のために、データ処理デバイス１０３は、カバー１０９に対するロッキング機構をアンロックするためのアンロック信号を生成することができる。従って、薬物２０３の過度に頻繁な服用に起因する不注意な過量服用を回避することができる。特に記憶喪失を患っている患者は、例えば、自分が既に薬を飲んだか否かを忘れるというリスクに露出される。特定の時間間隔でしか薬物容器２００へのアクセスを患者に可能にしないことにより、そのような患者を薬物２０３の望ましくない過量服用リスクから保護することができる。
【０１７１】
好ましくは、保持装置１００は、カバー１０９に関連付けられた蓋スイッチなどを含み、及び／又はカバー１０９は、その開放及び閉鎖を検出器デバイス１０２によって検出可能なものにするための検出ユニット２０４を含む。薬物容器２００自体のモニタに加えて又はその代わりに、薬物容器２００へのアクセスを認識するために、カバー蓋１０９の開放及び閉鎖の動きを検出することができる。
【０１７２】
これに代えて、カバー１０９は、図２に示すものとは異なる方法に具現化することができる。例えば、図示の例でのピボット回転カバー１０９の代わりに、スライドカバー又は完全に取り外し可能なカバー１０９、例えば、ねじキャップなどを同等に実現することができる。
【０１７３】
図３から図１５は、更に別の実施形態による服薬遵守管理システム１０を示しており、図３から図８まで及び図１０から図１５までに記載の例では、薬物容器２００を薬瓶として示している。しかし、別途明記しない限り、説明する態様及び特徴は、厚紙パッケージのような他の薬物容器２００に同等に適用される。
【０１７４】
蓋２０１がネジキャップなどとして設けられた薬瓶又は別の薬物容器２００の場合に、異なる実施形態の保持装置１００が、回転可能に固定される方式で薬物容器２００を保持するようになっている。それによって蓋２０１が容易に取り外し可能であることが可能になる。
【０１７５】
蓋２０１は、薬物容器２００を開放するために蓋２０１をねじり外すのを容易にするように、蓋２０１の把持を強めるための溝２０１Ａ又は他の手段を好ましくは含む。
【０１７６】
特に好ましくは、薬物容器２００又はそのリザーバ２０２は非円形水平断面を有し、特に薬物容器２００又はリザーバ２０２の外側輪郭は非円形である。
【０１７７】
保持装置１００のレセプタクル１０１は、少なくとも実質的に薬物容器２００又はリザーバ２０２の外形に好ましくは似ており、特に類似の水平断面及び／又は内側輪郭を有する。
【０１７８】
特により好ましくは、薬物容器２００又はそのリザーバ２０２、並びにそれに対応するレセプタクル１０１は、それぞれ好ましくはコーナが丸められた少なくとも実質的に正方形の水平断面、及び／又は外側又は内側の輪郭を有する。
【０１７９】
図３及び図４は、第３の実施形態による服薬遵守管理システム１０の斜視図を示している。図３は、作動状態にある及び／又は薬物容器２００が保持装置１００内に完全に挿入されて固定された服薬遵守管理システム１０を示している。図４には、薬物容器２００が保持装置１００内に挿入される前又は薬物容器２００が保持装置１００から取り外された後のそれぞれの及び／又は作動不能状態にあるシステム１０が示されている。
【０１８０】
服薬遵守管理システム１０、保持装置１００、及び／又はそのハウジング１０８は、少なくとも第１の要素１１０及び第２の要素１１１という複数の要素を好ましくは含む。
【０１８１】
好ましくは、第１の要素１１０は、服薬遵守管理システム１０又は保持装置１００の底部又はベース１２０を形成し、及び／又は第２の要素１１１は、薬物容器２００に対する少なくともレセプタクル１０１を形成する。
【０１８２】
第２の要素１１１は、薬物容器２００又はそのリザーバ２０２の小部分のみを覆うように好ましくは設計され、特に、薬物容器２００又はリザーバ２０２を受け入れるためのベースと、そこから少なくとも実質的に垂直に突出して薬物容器２００又はリザーバ２０２を支持するアーム、ストップ、又は肩部とを含む。
【０１８３】
これに代えて、第１の要素１１０は、システム１０又は保持装置１００のベース１２０と、薬物容器２００又はリザーバ２０２を受け入れるためのベースとの両方として設計することができ、第２の要素１１１は、アーム、ストップ、又は肩部のような支持体を形成する。
【０１８４】
特に好ましくは、薬物容器２００又はリザーバ２０２の縁部のみを覆う１つのそのようなアーム、ストップ、又は肩部のみが設けられる。しかし、例えば、薬物容器２００のリザーバ２０２を完全に覆う２つの対向するアーム、ストップ、又は肩部、又は第２の要素１１１のような他の構造ソリューションも可能である。
【０１８５】
特により好ましくは、薬物容器２００が保持装置１００内に完全に挿入された時に、薬物容器２００の殆ど、特に、追加の服薬情報を含むことができるラベル２０６が可視である。
【０１８６】
これに代えて又はこれに加えて、全体の薬物容器２００が少なくとも実質的に可視であるように、アーム、ストップ、又は肩部、又は第２の要素１１１を透明にすることができる。
【０１８７】
薬物容器２００を保持装置１００又はそのレセプタクル１０１内に挿入するために、第２の要素１１１は好ましくは可撓性を有する。
【０１８８】
第２の要素１１１は、薬物容器２００を確実に保持するために薬物容器２００に係合する固定要素１０８Ａを好ましくは含む。固定要素１０８Ａは、例えば、第１の実施形態でのものと同じ形態を取ることができ、特に、薬物容器２００の一部に係合する突起を形成する。
【０１８９】
これに代えて又はこれに加えて、薬物容器２００は、第２の要素１１１のベースに固定することができる。好ましくは、薬物容器２００は、第２の要素１１１又はそれによって形成されたレセプタクル１０１内にクリップ留めすることができる。
【０１９０】
特により好ましくは、第１の要素１１０は、薬物容器２００を締結するために第２の要素１１１に対して移動する、特に回転させることができる。特に、服薬遵守管理システム１０の作動不能状態では、及び／又は薬物容器２００が挿入される前又は取り外された後に、第１の要素１１０は、受け入れ位置又は解除位置に移され、特に、第２の要素１１１に対して好ましくは４５°だけ捻られる。
【０１９１】
保持装置１００は、作動不能状態では及び／又は第１の要素１１０が移された状態で、薬物容器２００を保持装置１００又はそのレセプタクル１０１内に挿入すること又はそこから取り外すことをそれぞれ容易にすることができるように設計される。
【０１９２】
薬物容器２００をレセプタクル１０１内に挿入した後に、第１の要素１１０は、第２の要素１１１に位置合わせするように移動され、特に、好ましくは４５°だけ回転させることができる。第１の要素１１０の移動は、薬物容器２００を保持装置１００内に固定するための及び／又はシステム１０を作動状態に入れるための締結機構を好ましくは作動させる。
【０１９３】
薬物容器２００を保持装置１００から取り外すために、第１の要素１１０を移動して受け入れ位置又は解除位置に戻すことができ、それによって締結機構が停止され、及び／又はシステム１０が作動不能状態に入れられる。
【０１９４】
締結機構は、薬物容器２００をレセプタクル１０１の底部に締結するためにレセプタクル１０１の直径が縮小されること、及び／又はレセプタクル１０１又は第２の要素１１１の底部が持ち上げられ、それによって薬物容器２００がこの底部と第２の要素１１１の上部にある固定要素１０８Ａの間に締結されることのいずれであるようにも設計することができる。
【０１９５】
特に、保持装置１００は、薬物容器２００を回転可能に固定される方式で保持する。それにより、好ましくはネジキャップである蓋２０１を容易に取り外し可能なものにすることが可能になる。
【０１９６】
蓋２０１としてネジキャップが設けられる場合に、薬物容器２００及び／又はレセプタクル１０１は、非円形断面を好ましくは有する。しかし、この実施形態では、薬物容器２００が円形の水平断面及び／又は円筒形状を有し、保持装置１００のレセプタクル１０１を相応に成形することができる。保持装置１００又はその締結機構は、円形水平断面を有する及び／又は円筒形である薬物容器２００に対してさえも薬物容器２００を回転可能に固定される方式で確実に保持する機能を好ましくは有する。
【０１９７】
第１の要素１１０は、データ処理デバイス１０３を好ましくは含み、特により好ましくは、視覚化デバイス及び／又は通知デバイス１０４、ユーザインタフェース１０５、通信デバイス１０６、及び／又はバッテリ１０７も含む。これらの要素は、図１に示す第１の実施形態に従って好ましくは設計される。
【０１９８】
図３及び図４には、視覚化デバイス及び／又は通知デバイス１０４が、保持装置１００を取り囲む光ストリップ１０４Ｂとして示されている。しかし、視覚化デバイス又は通知デバイス１０４は異なる形態を取ることができ、及び／又は保持装置１００は、いくつかの視覚化デバイス及び／又は通知デバイス１０４を含むことができる。例えば、これに加えて又はこれに代えて、保持装置１００上にディスプレイ１０４Ａを設けることができる。
【０１９９】
好ましくは、患者又はユーザのあらゆる視角から少なくとも１つの視覚化デバイス１０４が可視である。
【０２００】
例えば、次の服薬活動の予定が迫っている時にユーザ又は患者に通知する第１の実施形態に関して説明した通知手段に加えて又はその代わりに、視覚化デバイス及び／又は通知デバイス１０４は、服薬遵守管理システム１０が作動状態にあるか否か、特に、薬物容器２００が保持装置１００内に正しく挿入されたか否かを示すように設計することができる。例えば、視覚化デバイス及び／又は通知デバイス１０４は、薬物容器２００が保持装置１００内に挿入されていない又は正しく挿入されていない時に、及び／又はシステム１０が作動不能状態にある時に赤色光を示し、薬物容器２００が保持装置１００内に正しく挿入された時及び／又はシステム１０が作動状態にある時に緑色光を示すことができる。
【０２０１】
第２の要素１１１は、蓋２０１の開放及び／又は閉鎖を検出するための検出器デバイス１０２を好ましくは含む。特により好ましくは、検出器デバイス１０２は、蓋２０１の近く、特に第２の要素１１１の上部及び／又はその固定要素１０８Ａ内に位置付けられる。
【０２０２】
対応する検出ユニット２０４は、蓋２０１又はその内側に好ましくは位置付けられる（図示せず）。
【０２０３】
好ましくは、第２の要素１１１は、蓋２０１の開放及び／又は閉鎖が検出器デバイス１０２によって検出された時に電気信号を送信するために検出器デバイス１０２をデータ処理デバイス１０３に接続する電気接続部１１２を更に含む。
【０２０４】
特に、検出器デバイス１０２とデータ処理デバイス１０３の間の電気接続部１１２は、服薬遵守管理システム１０の作動不能状態では切断され、第１の要素１１０を移動、特に回転させる時にのみ締結機構を好ましくは作動させるために確立することができる。
【０２０５】
薬物容器２００が軽くなる時を好ましくは検出するために、第２の要素１１１の底部又は第１の要素１１０に第２の検出器デバイス１０２及び／又は検出ユニット２０４を位置付けることができる。
【０２０６】
システム１０、保持装置１００、及び／又はハウジング１０８を形成する要素の一部又は全て、特に第１の要素１１０及び第２の要素１１１は、脱離不能に接続することができ、又は互いから分離可能にすることができる。分離可能な要素の場合に、例えば、レセプタクル１０１を異なるサイズ及び／又は形状の薬物容器２００に適応させるためにこれらの要素を交換可能にすることができる。
【０２０７】
図５は、第４の実施形態による服薬遵守管理システム１０を示している。図５は、開放状態又は作動不能状態にある及び／又は薬物容器２００が挿入される前又は薬物容器２００が保持装置１００から取り外された後のシステム１０又は保持装置１００を示している。図６は、閉鎖状態及び／又は作動状態にある及び／又は薬物容器２００が挿入されたシステム１０の断面側面図を示している。
【０２０８】
システム１０、保持装置１００、及び／又はハウジング１０８は、少なくとも２つの要素、特に、フレーム要素を形成する第１の要素１１０と、引き出し要素を形成する第２の要素１１１とを好ましくは含む及び／又は第１の要素１１０と第２の要素１１１とが合わさって引き出しとして適応されたシステム１０、保持装置１００、及び／又はハウジング１０８を形成する。
【０２０９】
第１の要素１１０は、好ましくは少なくとも実質的に箱形のものであり、側壁、上部、及び底部を含み、特に１つの側部に向けて開いている及び／又は少なくとも実質的にＵ字形の水平断面を有する。
【０２１０】
第１の要素１１０の内側は、第２の要素１１１及び／又は薬物容器２００を受け入れるための保持装置１００の第１のレセプタクル１０１Ｂを形成する。
【０２１１】
しかし、第１の要素１１０の他の形状、特に、薬物容器２００及び／又は第２の要素１１１の外形に少なくとも実質的に似ている第１の要素１１０及び／又は第１のレセプタクル１０１Ｂの形状も可能である。好ましくは、第１の要素１１０は、図５に示す箱形の第１の要素１１０と同じく１つの側部に向けて開いている。
【０２１２】
第１の要素１１０は、特にその上部に形状及びサイズに関して薬物容器２００又はそのリザーバ２０２に少なくとも実質的に対応する開口部１１０Ａを好ましくは含み、開口部１１０Ａは、特に、それを通して及び／又は上部から薬物容器２００を第１のレセプタクル１０１Ｂ内に挿入するほど十分に大きい。
【０２１３】
特により好ましくは、第１の要素１１０の上部は、開口部１１０Ａを形成するように第１の要素１１０のＵ字形水平断面に対応する少なくとも実質的にＵ字形のものである。
【０２１４】
検出器デバイス１０２、データ処理デバイス１０３、及び／又は、更に別のデバイス、例えば、視覚化デバイス及び／又は通知デバイス１０４、ユーザインタフェース１０５、通信デバイス１０６、及び／又はバッテリ１０７は、側壁のうちの１つ、特により好ましくは第１の要素１１０の開いた側部と反対の側壁内に好ましくは位置付けられる。しかし、一部又は全てのデバイスを第２の要素１１１、第１の要素１１０の底部及び／又は上部のような保持装置１００の異なる部分に位置付けるような他の構造ソリューションも可能である。
【０２１５】
検出器デバイス１０２は、薬物容器２００が保持装置１００によって受け入れられた時及び／又は服薬遵守管理システム１０が作動状態にある時に薬物容器２００の蓋２０１に近い位置に好ましくは位置付けられる。従って、検出器デバイス１０２は、第１の要素１１０の上部に又はその側壁のうちの１つの上部に好ましくは位置付けられる。これに加えて又はこれに代えて、第２の要素１１１に検出器デバイス１０２を位置付けることができる。
【０２１６】
視覚化デバイス及び／又は通知デバイス１０４は、特に側壁のうちの１つの中に組み込まれたディスプレイ１０４Ａを好ましくは含む。ディスプレイ１０４Ａは、服薬遵守管理システム１０が非作動状態にある時、服薬活動の予定が迫っている時に、及び／又はシステム１０が直接的に、遠隔に、又はユーザ又は患者によってアクセスされていない時には好ましくは視認不能である及び／又は停止される。
【０２１７】
視覚化デバイス及び／又は通知デバイス１０４は、側壁のうちの１つに沿って好ましくは垂直に延びる光ストリップ１０４Ｂを更に含むことができる。
【０２１８】
特に、光ストリップ１０４Ｂは、百分率を、例えば、薬物容器２００内に残っている薬物２０３の個数及び／又はバッテリ残量をそれぞれの百分率に対応する部分のみを照明することによって示すように設計することができる。
【０２１９】
完全に挿入された時に及び／又は服薬遵守管理システム１０の作動状態では薬物容器２００が少なくとも部分的に可視であるように、好ましくは少なくとも１つの側壁、特に、互いに対向する及び／又は第１の要素１１０の開いた側部に隣接する両方の側壁が透明である。
【０２２０】
第２の要素１１１は、第１の要素１１０と少なくとも実質的に類似の形状を好ましくは有し、特に側壁と底部と上部とを含み、及び／又は第２の要素１１１の外形は、第１の要素１１０の内側によって形成された第１のレセプタクル１０１Ｂに似ている。好ましくは、第２の要素１１１は、第１の要素１１０と類似の開いた側部を有する。
【０２２１】
第２の要素１１１の内側は、薬物容器２００又はそのリザーバ２０２を受け入れるための第２のレセプタクル１０１Ｃを好ましくは形成する。
【０２２２】
第２の要素１１１の２つの対向する側壁の間の距離は、第２の要素１１１が第１のレセプタクル１０１Ｂ内に嵌合するように第１の要素１１０に対するものよりも好ましくは小さい。
【０２２３】
第２の要素１１１は、第１の要素１１０の第１のレセプタクル１０１Ｂ内に好ましくは位置付けられ、第１の要素１１０の開いた側部を通って第１のレセプタクル１０１Ｂから出るように移動可能である。
【０２２４】
好ましくは、特に完全に挿入された時に、第２の要素１１１は、第１の要素１１０の第１のレセプタクル１０１Ｂ内に緊密適合し、第２の要素１１１又はその側壁は、第１の要素１１０の開いた側部を閉め切り、それによって保持装置１００は４つ全ての側部で閉鎖される。
【０２２５】
特に、第２の要素１１１が第１の要素１１０の第１のレセプタクル１０１Ｂによって受け入れられた時に、第１の要素１１０及び第２の要素１１１の隣接する側壁の間に少なくとも実質的にクリアランスが全く設けられない。
【０２２６】
好ましくは、第２の要素１１１は、第１の要素１１０の第１のレセプタクル１０１Ｂ内で移動可能又は摺動可能である。第１の要素１１０及び第２の要素１１１は、第２の要素１１１を移動して第１の要素１１０の第１のレセプタクル１０１Ｂから出すことによって開放することができ、第２の要素１１１を移動して第１の要素１１０の第１のレセプタクル１０１Ｂ内に入れることによって閉鎖することができる引き出しを好ましくは形成する。
【０２２７】
特に好ましくは、第１の要素１１０及び第２の要素１１１は、互いに分離不能であり、特に、第２の要素１１１を移動して第１の要素１１０の第１のレセプタクル１０１Ｂから出すことができるが、第１の要素１１０から完全に取り外すことはできない。第１の要素１１０及び第２の要素１１１は、例えば、保持装置１００が完全に開放された時に係合するストップ要素を含むことができ、第２の要素１１１が更に移動されるのを防止する。
【０２２８】
第１の要素１１０の第１のレセプタクル１０１Ｂによって完全に受け入れられた時に、及び／又は保持装置１００の閉鎖状態では、保持装置１００を偶発的に開放することができないように、第１の要素１１０及び第２の要素１１１は、特に、圧力嵌め、形態嵌合、及び／又はスナップ式に好ましくは互いに結合される。
【０２２９】
保持装置１００内に完全に挿入された時に、及び／又は服薬遵守管理システム１０の作動状態では、薬物容器２００が少なくとも２つの側部から可視であるように第２の要素１１１は好ましくは透明である。
【０２３０】
第１の要素１１０の２つの対向する側壁の各々は、特に引き出しを開閉する時に片手で保持装置１００を把持することを容易にする把持部分１１０Ｂを好ましくは含む。把持部分１１０Ｂは、それぞれの側壁内の陥没、凹部、孔、及び／又は窓とすることができる。
【０２３１】
薬物容器２００は、特にそのリザーバ２０２と蓋２０１の間に位置付けられた先細部又は首部２０７を好ましくは含む。
【０２３２】
特により好ましくは、薬物容器２００は、その先細部又は首部２０７の周りにフランジ２０８を含む。
【０２３３】
第２の要素１１１は、薬物容器２００の寸法に対応する開口部１１１Ａを有し、特に、開口部１１１Ａの直径は、薬物容器２００の先細部又は首部２０７での薬物容器２００の直径よりも大きいが、フランジ２０８の直径よりも小さい。
【０２３４】
好ましくは、保持装置１００は、その首部２０７又はフランジ２０８において薬物容器２００を保持する。特により好ましくは、服薬遵守管理システム１０は、図６に示すように、薬物容器２００が、その首部２０７において、特に、フランジ２０８が開口部１１１Ａの縁部上に載ることによって保持されている間に、保持装置１００内で垂れ下がるようになっている。
【０２３５】
保持装置１００内に薬物容器２００を挿入する時に、最初の段階は、第２の要素１１１を移動して第１の実施形態第１の第１のレセプタクル１０１Ｂから出すこと、特に、引き出し状の保持装置１００を開放することである。それによって保持装置１００の上部にある開口部が拡大される。次の段階では、薬物容器２００が、第１の要素１１０の大きい開口部１１０Ａを通して第１のレセプタクル１０１Ｂ内に挿入される。最終段階では、第２の要素１１１が移動されて第１のレセプタクル１０１Ｂ内に戻され、フランジ２０８及び蓋２０１が第２の要素１１１の開口部１１１Ａの上方に位置し、第２の要素１１１は、第１の要素１１０と好ましくは互いにクリップ留めされて第１のレセプタクル１０１Ｂ内に固定される。この手順により、薬物容器２００のリザーバ２０２は第２のレセプタクル１０１Ｃによって受け入れられ、保持装置１００の上部にある開口部は縮小され、それによって薬物容器２００は、その首部２０７及び／又はフランジ２０８で保持されながら保持装置１００内で垂れ下がる。
【０２３６】
蓋２０１の開放及び／又は閉鎖を検出するのに加えて又はその代わりに、システム１０又は保持装置１００は、薬物容器２００の重量損失を検出するように設計することができる。好ましくは、検出器デバイス１０２は、第１の要素１１０又は第２の要素１１１の上部に位置付けられ、薬物容器２００の重量及び／又は保持装置１００内で吊り下っている間に薬物容器２００によって作用される重力を検出する。
【０２３７】
好ましい実施形態では、第１のレセプタクル１０１Ｂ及び／又は第２のレセプタクル１０１Ｃは、薬物容器２００の異なって成形された及び／又はサイズのリザーバ２０２を受け入れるように設計される。例えば、リザーバ２０２は、垂直長さが異なる場合があり、薬物容器２００の底部と第１の要素１１０及び／又は第２の要素１１１の底部の間にクリアランスが残る。図６は、小さめの薬物容器２００が保持装置１００によって保持されている例を示している。
【０２３８】
第１の要素１１０及び第２の要素１１１を解除するために押下することができるボタンなどを好ましくは設けることによってこれらの要素を互いに分離することができるようにシステム１０又は保持装置１００を設計することも可能である。
【０２３９】
特に、第１の要素１１０及び／又は第２の要素１１１は交換可能にすることができる。例えば、薬物容器２００が第２の要素１１１の第２のレセプタクル１０１Ｃ内に少なくとも実質的にクリアランスなく嵌合するように異なる薬物容器２００に対応する異なる第２の要素１１１を設けることができる。この場合に、第１の要素１１０は、特に、第２の要素１１１の底部と第１の要素１１０の底部の間にクリアランスを有する異なる第２の要素１１１を受け入れるように設計することができる。
【０２４０】
好ましい実施形態では、服薬遵守管理システムは、首部２０７で保持されながら保持装置１００内で垂れ下がる薬物容器２００を含み、保持装置１００は、薬物容器２００をレセプタクル１０１内に挿入するための引き出しとして設計される。しかし、他の構造ソリューションも可能である。
【０２４１】
例えば、第１の要素１１０の上部自体が、薬物容器２００のフランジ２０８の直径よりも小さい直径を有する開口部を有することができる。この場合に、第２の要素１１１は、好ましくは保持装置１００の側壁にすぎず、特により好ましくは、ドアのように開くことができるようにヒンジを通して第１の要素１１０の側壁に接続される。この場合に、薬物容器２００を挿入する段階は、ドア状の第２の要素１１１を開く段階と、第１の要素１１０の特に上部からではなく開いた側部を通して薬物容器２００を挿入する段階と、次に、ドア状の第２の要素１１１を閉鎖することによって薬物容器２００を保持装置１００内に固定する段階とを含むことになる。
【０２４２】
別の可能な構造ソリューションは、例えば、互いに完全に分離可能であり、薬物容器２００の周りに配置して互いに接続することができる第１の要素１１０及び第２の要素１１１を含む保持装置１００である。
【０２４３】
図７は、第５の実施形態による服薬遵守管理システム１０を分解斜視図に示している。
【０２４４】
システム１０、保持装置１００、及び／又はハウジング１０８は、少なくとも２つの要素、図７では３つの要素を含む。これらの要素は、特にモジュール式のものである及び／又は互いから分離可能である。
【０２４５】
第１の要素１１０は、服薬遵守管理システム１０又は保持装置１００の底部又はベース１２０を好ましくは形成する。
【０２４６】
好ましくは、第１の要素１１０は、データ処理デバイス１０３、並びに更に別のデバイス、例えば、重量検出器デバイス１０２、視覚化デバイス及び／又は通知デバイス１０４、ユーザインタフェース１０５、通信デバイス１０６、及び／又はバッテリ１０７を含む。
【０２４７】
図７に図示の実施形態では、第１の要素１１０の底部は、視覚化デバイス及び／又は通知デバイス１０４によって照明することができる。しかし、例えば、図３に示す第３の実施形態によるソリューションと同じく第１の要素１１０を取り囲む光ストリップ１０４Ｂを設ける他の又は追加の構造ソリューションも可能である。第１の要素１１０、第２の要素１１１、又はシステム１０、保持装置１００、及び／又はハウジング１０８のいずれかの更に別の要素の上にディスプレイ１０４Ａを設けることができる。
【０２４８】
第１の要素１１０は、薬物容器２００に適合するレセプタクル１０１を好ましくは含む。好ましくは、薬物容器２００又はそのリザーバ２０２は、第１の要素１１０の上部に位置付けられたフレーム１１０Ｃを用いて固定される。図７は、第１の要素１１０内に既に挿入されている薬物容器２００を示している。
【０２４９】
第２の要素１１１は、薬物容器２００の上に好ましくは配置され、及び／又は薬物容器２００に対するスリーブを形成し、特に、側壁及び／又は上部と底部に開口部を有するマントルを有する。好ましくは、第２の要素１１１は、薬物容器２００の形状に少なくとも実質的に似ており、特にその垂直長さは、薬物容器２００の蓋２０１のみが第２の要素１１１からその上部で突き出るようなものである。この目的のために、第２の要素１１１の上部にある開口部は、蓋２０１のみがこの開口部を通って嵌合するように成形することができる。
【０２５０】
特により好ましくは、保持装置１００は、特に、異なる薬物容器２００の形状及び／又はサイズに対応し、かつ第１の要素１１０と万能に適合する異なる第２の要素１１１を与えることにより、薬物容器２００のサイズ及び／又は形状に適応可能である。
【０２５１】
これに代えて又はこれに加えて、例えば、異なる薬物容器２００のサイズ及び／又は形状に適合するように、及び／又は異なる服薬遵守管理要求に適合するように、第１の要素１１０は、例えば異なるデバイス、例えば異なる通信デバイス１０６、バッテリ１０７、又は電力ケーブルを通じたもののような異なる電源、又は異なる視覚化デバイス及び／又は通知デバイス１０４などを必要に応じて含む異なる第１の要素１１０と交換可能にすることができる。
【０２５２】
スリーブ状の第２の要素１１１が薬物容器２００を覆う時に依然としてリザーバ２０２又はそのラベル２０６が可視であるように、第２の要素１１１は、好ましくは透明である。これに加えて又はこれに代えて、第２の要素１１１は、薬物容器２００が部分的に可視であるようにするための陥凹又は窓を含むことができる。
【０２５３】
第２の要素１１１は、蓋２０１の開放及び／又は閉鎖を検出するための検出器デバイス１０２を好ましくは含み、検出器デバイス１０２は、蓋２０１の近くに位置付けられる。
【０２５４】
更に、第２の要素１１１は、検出器デバイス１０２を第１の要素１１０内に位置付けられたデータ処理デバイス１０３に接続する電気接続部１１２を好ましくは含む。特に、この電気接続部１１２は、第１の要素１１０及び第２の要素１１１が互いに接続された時にのみ確立される。
【０２５５】
保持装置１００は、好ましくはモジュール式及び／又は交換可能である更に別の要素を含むことができる。例えば、薬物容器２００又はそのリザーバ２０２を覆うためにいくつかのスリーブ状モジュール式要素を互いに上下に積み重ねることができる。この場合に、より大きい薬物容器２００のサイズに合うように保持装置１００を調節するために、第２の要素１１１を交換する代わりに、第３のスリーブ状要素を第２の要素１１１の上部の上に積み重ねることによって保持装置１００が好ましくは拡大される。
【０２５６】
モジュール式要素は、特にスナップ式に好ましくは互いにクリップ留めすることができる。第１の要素１１０は、例えば、第２の要素１１１に係合するラッチ又は突起１１０Ｄを含むことができる。
【０２５７】
特に好ましくは、モジュール式要素のうちの少なくとも１つは、これらのモジュール式要素をアンロックするためのボタンを含む。
【０２５８】
好ましい実施形態では、保持装置１００は、キャップ１１４として機能する更に別の要素を含む。
【０２５９】
キャップ１１４は、圧力嵌め方式、形態嵌合方式、及び／又はスナップ方式で薬物容器２００の蓋２０１を受け入れてそれに接続するように好ましくは適応される。特に、キャップ１１４は、蓋２０１上に好ましくは上部からクリップ留めする又は差し込むことができる。
【０２６０】
図８は、キャップ１１４を有するこの実施形態による保持装置１００内の薬物容器２００を概略側面図に示している。この図では、例示目的で第２の要素１１１及びキャップ１１４の前面が取り除かれている。図９は、図８の線ＩＸ−ＩＸに沿った水平断面を示している。
【０２６１】
好ましくは、キャップ１１４は、蓋２０１を特に全ての側部及び上部上で完全に覆う。
【０２６２】
これに代えて、キャップ１１４を蓋２０１上にその半径方向に及び／又は側部からクリップ留めする又は差し込むことができるように、キャップ１１４は側部に開口部を有することができる。
【０２６３】
好ましくは、キャップ１１４に対して作用されたタンジェンシャル力は、蓋２０１上に伝達される。それにより、薬物容器２００を開放するために、キャップ１１４を回転させることで蓋２０１をねじり外すことが可能になる。
【０２６４】
特に、キャップ１１４と蓋２０１は互いに回転可能に結合される。従って、キャップ１１４を回転させること及び／又はねじり外すことによって蓋２０１を好ましくは取り外すことができ、及び／又は薬物容器２００を好ましくは開放することができる。
【０２６５】
キャップ１１４と蓋２０１は、これらが一緒にリザーバ２０２から取り外し可能又はそれに取り付け可能であるように互いに好ましくは接続される。
【０２６６】
好ましくは、キャップ１１４と蓋２０１は、例えば、薬物容器２００を交換する時にキャップ１１４が蓋２０１から取り外し可能であるように互いに脱離可能に接続される。しかし、接続された状態で蓋２０１から取り外すことができないようにキャップ１１４を設計することも可能である。
【０２６７】
図８及び図９に示す例では、キャップ１１４は、薬物容器２００の蓋２０１を保持する保持部分１１４Ａを含む。特に、キャップ１１４の各側部上及び／又は蓋２０１とキャップ１１４の間の距離が最小である場所に好ましくは１つずつ、４つの保持部分１１４Ａが設けられる、好ましくは、保持部分１１４Ａは、キャップ１１４の側部と一体形成され、及び／又は特に側部から蓋２０１に向けて突出する。
【０２６８】
この例では、保持部分１１４Ａは、蓋２０１と圧力嵌めによって接続する。しかし、保持部分１１４Ａが蓋２０１と他の手段、例えば、形態嵌合及び／又はスナップ式に接続するように保持部分１１４Ａを設計することも可能である。
【０２６９】
これに加えて又はこれに代えて、キャップ１１４は、蓋２０１に係合する、特に、キャップ１１４内に設けられた溝２０１Ａに係合する係合部分１１４Ｂを含むことができる。図８は例示的に１つのそのような係合部分１１４Ｂを示すが、いくつかの係合部分１１４Ｂを設けることができる。係合部分１１４Ｂは、キャップ１１４の上部の内側から蓋２０１に向けて垂直に好ましくは突出する。
【０２７０】
キャップ１１４に対して作用されたタンジェンシャル力が蓋２０１上に伝達されるように、及び／又は薬物容器２００を開放するのにキャップ１１４を回転させることによって蓋２０１をねじり外すことができてキャップ１１４と共に取り外すことができるように、係合部分１１、４Ｂは、特に形態嵌合によって溝２０１Ａ又は蓋２０１に接続する。
【０２７１】
キャップ１１４は、その上部の内側から蓋２０１に向けて垂直に突出する安定化部分１１４Ｃを更に含むことができる。これらの部分１１４Ｃは、係合部分１１４Ｂよりもキャップ１１４の上部の中心の近くに好ましくは位置付けられる。特に、部分１１４Ｃは、キャップ１１４と蓋２０１の間の接続を更にサポートし、及び／又はキャップ１１４を蓋２０１に対して支える。部分１１４Ｃは、蓋２０１とキャップ１１４の上部の間にクリアランスを与えることができる。
【０２７２】
更に、部分１１４Ｃ及び蓋２０１は、特に、蓋２０１とキャップ１１４の間にこれに加えて又はその代わりに接続を設けるために部分１１４Ｃが蓋２０１内の対応する陥凹に係合することができるように設計することができる。
【０２７３】
蓋２０１が検出器デバイス１０２によって検出可能な検出ユニット２０４を有することに加えて又はその代わりに、キャップ１１４に検出ユニット２０４を設けることができる。検出ユニット２０４は、キャップ１１４内に組み込むことができ、又はキャップ１１４に配置すること、好ましくは、キャップ１１４の内側に配置することができる。これに代えて、検出ユニット２０４は、キャップ１１４と蓋２０１の間、好ましくは、蓋２０１の上部の上に着座することができる。
【０２７４】
第５の実施形態により服薬遵守管理システム１０を組み立てるために、最初の段階は、薬物容器２００を第１の要素１１０のレセプタクル１０１内に挿入してそこに固定することである。次に、薬物容器２００の形状及びサイズに対応するスリーブ状の第２の要素１１１が薬物容器２００の上に配置され、第１の要素１１０及び第２の要素１１１が好ましくはスナップ式に互いに接続される。その後に、薬物容器２００の蓋２０１の上に任意的なキャップ１１４がクリップ留めされる又は差し込まれる。
【０２７５】
最初に薬物容器２００を第１の要素１１０内に挿入し、その後に保持装置１００を組み立てることにより、薬物容器２００を正しく挿入すること、及び／又は薬物容器２００を保持装置１００内に正しく固定及び安定させることが容易になる。特に、システム１０又は保持装置１００は、例えば、蓋２０１を受け入れるには十分に大きいが、薬物容器２００のリザーバ２０２を受け入れるには小さすぎる直径を有する開口部をスリーブ状の第２の要素１１１の上部に設けることによって薬物容器２００を後の段階で挿入することができないように設計することができる。
【０２７６】
キャップ１１４を設けることにより、薬物容器２００は、保持装置１００又はそのレセプタクル１０１内に好ましくは完全に挿入される又は完全に受け入れられ、特に、薬物容器２００のいずれの部分も保持装置１００から突き出ることはない。
【０２７７】
保持装置１００は、水密及び／又は気密であるように、特に、薬物容器２００又は薬物２０３を環境影響から保護するように設計することができる。
【０２７８】
キャップ１１４は、第２の要素１１１と接続可能にすることができる。次に、薬物容器２００を開放するためには、最初の段階で好ましくは解除ボタンを押下することによってキャップ１１４を第２の要素１１１から解除又はアンロッキングしなければならず、第２の段階で好ましくは蓋２０１と共に薬物容器２００から取り外さなければならない。特に、アンロッキング機構は、システム１０が無認可ユーザによってアクセス可能であるのを防ぐように、及び／又は服薬活動の予定が迫っている時のようなある一定の時間にのみアクセス可能であるように設計することができる。
【０２７９】
薬物容器２００を開放するために、キャップ１１４と蓋２０１は、好ましくはユニットとして一緒に取り外され、特により好ましくは、キャップ１１４に対してタンジェンシャル力を作用すること及び／又はキャップ１１４を蓋２０１と共にねじり外すことによって保持装置１００から取り外される。
【０２８０】
これに代えて、薬物容器２００の蓋２０１は、薬物容器２００を保持装置１００内に挿入する時及び／又は服薬遵守管理システム１０の作動状態で薬物容器２００から完全に取り外すことができる。特に、薬物容器２００は、保持装置１００内に開放状態で入れられる。キャップ１１４は、次に、蓋２０１を置換する。
【０２８１】
特に、キャップ１１４は、蓋２０１が取り外された薬物容器２００に直接螺合可能及び／又は取り付け可能であるように設計することができる。これに代えて、キャップ１１４は、特に第２の要素１１１に接続するが薬物容器２００には接続しないカバー１０９として設計することができる。
【０２８２】
図１０は、服薬遵守管理システム１０の第６の実施形態を示している。この実施形態では、薬物容器２００は、図２に示す第２の実施形態の場合と同じく好ましくは厚紙パッケージである。しかし、別途明記しない限り、全ての態様及び特徴は、薬瓶のような他の薬物容器２００に同等に適用される。
【０２８３】
保持装置１００は、例えば、異なるサイズ及び／又は形状の薬物容器２００に適合するように、及び／又は薬物容器２００を保持装置１００内に挿入すること又はそこから取り外すことそれぞれを容易にするように、少なくとも２つのモジュール式要素を好ましくは含む。
【０２８４】
第１の要素１１０は、保持装置１００の底部又はベース１２０を好ましくは形成し、及び／又は薬物容器２００を受け入れるためのレセプタクル１０１を含む。
【０２８５】
第１の要素１１０は、データ処理デバイス１０３、視覚化デバイス及び／又は通知デバイス１０４、ユーザインタフェース１０５、通信デバイス１０６、及び／又はバッテリ１０７を好ましくは含む。しかし、保持装置１００の異なる部分内にこれらのデバイスの一部又は全てを位置付けることも可能である。
【０２８６】
第１の要素１１０又はレセプタクル１０１は、少なくとも実質的に矩形の水平断面及び／又は薬物容器２００の水平断面に少なくとも実質的に対応する水平断面を好ましくは有する。
【０２８７】
第１の要素１１０の垂直断面は矩形である必要はなく、異なる形状、例えば、図１０に示すような台形形態を取ることができる。
【０２８８】
スリーブ状の第２の要素１１１は、第１の要素１１０及び／又は薬物容器２００に対応する形状を好ましくは有する。
【０２８９】
第２の要素１１１は、薬物容器２００が完全に覆われるように薬物容器２００の上に好ましくは配置される。しかし、薬物容器２００、特にそのラベル２０６が少なくとも実質的に可視であるように、第２の要素１１１は好ましくは少なくとも部分的に透明である。
【０２９０】
第２の要素１１１は、第１の要素１１０と好ましくは接続可能であり、特により好ましくは、スナップ式に接続可能である。
【０２９１】
好ましくは、第１の要素１１０は、第２の要素１１１をアンロック又は解除するための解除ボタン１１３Ａを含む。しかし、ボタン１１３は、第２の要素１１１に設けることもできる。
【０２９２】
システム１０及び／又は保持装置１００は、カバー１０９を好ましくは含む。
【０２９３】
カバー１０９は、特に、第２の要素１１１から取り外し可能な更に別の分離可能要素とすることができる。特に好ましくは、カバー１０９は、カバー１０９が第２の要素１１１に対してピボット回転可能であるように特にヒンジを通して第２の要素１１１と分離不能に接続される。
【０２９４】
カバー１０９は、第２の要素１１１の上部及び／又は薬物容器２００の上部にある開口部を好ましくは完全に覆う。特に、服薬容器は、保持装置１００内に完全に受け入れられる。特に好ましくは、保持装置１００は、水密及び／又は気密であり、及び／又は薬物容器２００が保持装置１００内に開放状態で及び／又は蓋２０１なしで入れられる場合であっても薬物容器２００又は薬物２０３を保護するように設計される。
【０２９５】
保持装置１００を偶発的に開放することができないように、カバー１０９は、保持装置１００の閉鎖状態で形態嵌合及び／又はスナップ式に第２の要素１１１と好ましくは係合する。
【０２９６】
好ましくは、第２の要素１１１及び／又はカバー１０９は、保持装置１００を開放するためにカバー１０９をピボット回転させることができるようにカバー１０９をアンロックするための開放ボタン１１３Ｂを含む。
【０２９７】
これに加えて又はこれに代えて、カバー１０９のアンロッキング機構は、保持装置１００の無許可開放及び／又は薬物容器２００への無許可アクセスを防ぐように設計することができる。例えば、カバー１０９をアンロックするためにユーザインタフェース１０５を通してアクセスコードを入力することを患者又はユーザに要求することができ、生体測定データを読み取るデバイス、例えば、指紋読取器を保持装置１００内などに設けることができる。同様に、カバー１０９が特定の時間にのみ、例えば、服薬活動の予定が迫っている時にのみアンロックされるように、及び／又はカバー１０９を遠隔にロック又はアンロックすることができるようにアンロッキング機構を適応させることができる。
【０２９８】
特に好ましくは、服薬遵守管理システム１０は、カバー１０９の開放及び／又は閉鎖を検出するように服薬活動を検出する。
【０２９９】
カバー１０９は、検出ユニット２０４を好ましくは含み、及び／又は特にカバー１０９の内側でそれに取り付けられた検出ユニット２０４を有し、検出ユニット２０４は、第２の要素１１１内に好ましくは位置付けられた検出器デバイス１０２によって検出可能である。特により好ましくは、検出ユニット２０４は、少なくとも実質的に検出器デバイス１０２の直近に位置付けられる。
【０３００】
これに加えて又はこれに代えて、カバー１０９の開放及び／又は閉鎖は、他の検出手段、例えば、カバー１０９をアンロックするためにボタン１１３Ｂを押下する段階の検出、カバー１０９と第２の要素１１１が互いに接続された場所にあるヒンジに対して作用された力の検出、及び／又はカバー１０９が開放された時の電気接続の途絶などによって検出することができる。
【０３０１】
薬物容器２００は、服薬遵守管理システム１０の作動状態では好ましくは開放する。特に、カバー１０９を開放した後に、薬物容器２００又はそのリザーバ２０２から薬物２０３を薬物容器２００の蓋２０１を開放する必要なく取り出すことができる。薬物容器２００が厚紙パッケージである場合に、蓋２０１は、好ましくは折り畳まれるフラップである。他の薬物容器２００では、蓋２０１は、薬物容器２００を保持装置１００内に挿入する前に薬物容器２００から好ましくは移される又は完全に取り外される。
【０３０２】
特に、服薬遵守管理システム１０又は保持装置１００は、薬物容器２００が保持装置１００内に保持された状態で、特に、厚紙パッケージの場合であっても薬物容器２００を保持装置１００から取り外す必要なく薬物２０３を薬物容器２００から取り出すことができるようになっている。
【０３０３】
図１０に示すこの実施形態による服薬遵守管理システム１０は、以下の通りに組み立てられる。最初の段階では、蓋２０１を折り畳む、移す、又は取り外すことによって薬物容器２００が開放される。次に、薬物容器２００が、第１の要素１１０のレセプタクル１０１内に挿入されて固定される。最後の段階では、カバー１０９と好ましくは分離不能に接続された第２の要素１１１が、薬物容器２００の上に配置され、第２の要素１１１を第１の要素１１０内に好ましくはクリップ留めすることによって及び／又はスナップ式に第１の要素１１０に接続される。
【０３０４】
これに代えて、最初の段階で保持装置１００を組み立てることができ、又は単一ユニットとして予め与えることができ、カバー１０９が開放された状態で薬物容器２００が保持装置１００内に挿入されるか、又は少なくとも一時的に完全に取り外される。
【０３０５】
図１１から図１４は、第７の実施形態による服薬遵守管理システム１０を示している。
【０３０６】
図１１は、薬物容器２００が挿入された状態及び／又は作動状態にある服薬遵守管理システム１０を示しており、それに対して図１２は、図１１に記載のものであるが、作動不能状態にある及び／又は薬物容器２００を持たない服薬遵守管理システム１０及び／又は保持装置１００を示している。
【０３０７】
服薬遵守管理システム１０、保持装置１００、及び／又はハウジング１０８は、好ましくは少なくとも２つの要素、特に第１の要素１１０及び第２の要素１１１を含む又はこれらの要素によって形成される。
【０３０８】
好ましくは、第１の要素１１０は、レセプタクル１０１を含む又はそれを形成し、又はその逆である。
【０３０９】
第１の要素１１０又はレセプタクル１０１は、保持装置１００の底部又はベース１２０を好ましくは含む及び／又はそれに固定的に接続される。
【０３１０】
好ましくは、第１の要素１１０、及び／又は底部又はベース１２０は、データ処理デバイス１０３、メモリ１０３Ａ、時間ベース１０３Ｂ、ユーザインタフェース１０５、通信デバイス１０６、及び／又はバッテリ１０７を含む又は受け入れる。
【０３１１】
これに代えて又はこれに加えて、服薬遵守管理システム１０、保持装置１００、第１の要素１１０、及び／又はベース１２０は、服薬遵守管理システム１０を制御するための及び／又は服薬遵守管理システム１０の望ましい機能を提供するための制御デバイス１１５を含むことができる。
【０３１２】
制御デバイス１１５は、検出デバイス１０２、データ処理デバイス１０３、メモリ１０３Ａ、時間ベース１０３Ｂ、視覚化デバイス１０４、ユーザインタフェース１０５、通信デバイス１０６、及び／又はバッテリ１０７を特に含むことができる。しかし、構成要素１０２から１０７の一部又は全てを制御デバイス１１５とは別個に実現することもできる。
【０３１３】
この例では、制御デバイス１１５は、図１３に示すように保持装置１００の底部又はベース１２０内に位置付けられ、それに対してバッテリ１０７は、図１２に示すように保持装置１００の側部に位置付けられる。しかし、構成要素１０２から１０７及び／又は制御デバイス１１５が保持装置１００内のどこか又はそこに、例えば、同じく第２の要素１１１内に位置付けられる他のソリューションも可能である。特に、制御デバイス１１５の位置とバッテリ１０７の位置とを逆にすることができる。
【０３１４】
制御デバイス１１５は、服薬遵守管理システム１０及び／又はそこに含まれるデバイス、例えば、検出器デバイス１０２、データ処理デバイス１０３、メモリ１０３Ａ、時間ベース１０３Ｂ、視覚化デバイス１０４、ユーザインタフェース１０５、及び／又は通信デバイス１０６の一部又は全てを制御するように好ましくは構成される。特に、制御デバイス１１５は、これらのデバイスの間、例えば、検出器デバイス１０２とデータ処理デバイス１０３の間の通信を制御することができる。制御デバイス１１５は、上述のデバイスと類似の機能又はタスクを実施するように好ましくは更に構成することができ、特に上述のデバイスのうちの一部を置換することもできる。
【０３１５】
特に好ましくは、制御デバイス１１５は、上述の実施形態のうちのいずれかに実現することもできる。
【０３１６】
この例では、視覚化デバイス１０４は、服薬遵守管理システム１０、保持装置１００、ハウジング１０８、又は第１の要素１１０の底部又はベース１２０に好ましくは位置付けられた発光要素、例えば、１又は２以上のＬＥＤ、及び／又は光ストリップ１０４Ｂを含む、形成する、又はこれらとして実現される。
【０３１７】
特に、視覚化デバイス１０４又は光ストリップ１０４Ｂは、それが全ての側から、あらゆる視点から、及び／又はあらゆる視角から可視であるように保持装置１００を完全に取り囲む。それにより、視覚化デバイス１０４又は光ストリップ１０４Ｂは、いずれの場合にもユーザ又は患者に対して可視である。
【０３１８】
好ましくは、視覚化デバイス１０４又は光ストリップ１０４Ｂは、保持装置１００のハウジング１０８内に組み込まれ、及び／又は特に図１３に示すように透明要素１０８Ｂによって覆われる。
【０３１９】
透明要素１０８Ｂは、特に、視覚化デバイス１０４又は光ストリップ１０４Ｂから放出された光が可視であるように少なくとも部分的に好ましくは光透過性である。
【０３２０】
ディスプレイ１０４Ａ、更に別の光ストリップ１０４Ｂ、及び／又は他の視覚化デバイス１０４をこれに代えて又はこれに加えて保持装置１００、特に、第１の要素１１０及び／又は第２の要素１１１内に又はそこに設けることもできる。
【０３２１】
これに代えて又はこれに加えて、保持装置１００は、図１１及び図１２に第１の要素１１０又はベース又は底部に関して示すように、更に別の透明要素１０８Ｂを含むことができる。
【０３２２】
この場合に、保持装置１００又はレセプタクル１０１は、薬物容器２００が保持装置１００又はレセプタクル１０１によって覆われる領域内に透明要素１０８Ｂを含む又はそれを形成する。それにより、薬物容器がこの領域内で可視のままに留まる。
【０３２３】
特に、第２の要素１１１も、特に好ましくは少なくとも、薬物容器２００が第２の要素１１１によって覆われる領域、及び／又は他に視認不能になる領域内で透明要素１０８Ｂを含む又はそれによって形成することができる。
【０３２４】
第１の要素１１０は、少なくとも実質的に薬物容器２００に対するレセプタクル１０１を好ましくは形成する。
【０３２５】
特に、レセプタクル１０１又は底部／ベース１２０は、薬物容器２００又はそのリザーバ２０２が固定位置に特に好ましくは回転可能に固定される方式で保持及び／又は固定されるように設計される。この目的のために、レセプタクル１０１又は底部／ベース１２０は、薬物容器２００又はそのリザーバ２０２の形状に少なくとも実質的に似ている及び／又は薬物容器２００に好ましくは緊密適合する凹部を好ましくは含む又はそれを形成する。
【０３２６】
特に好ましくは、レセプタクル１０１又は底部／ベース１２０は、異なるサイズ及び／又は形状の薬物容器２００、特に少なくとも２つの異なる薬物容器２００に適合する又はこれらを受け入れることができる。特に、レセプタクル１０１は、図１３に示すように、底部１０１Ｄと少なくとも１つのステップ１０１Ｅとを含む。
【０３２７】
好ましくは、底部１０１Ｄは、少なくとも実質的に水平に延びる及び／又はレセプタクル１０１の最低部を形成する。
【０３２８】
ステップ１０１Ｅは、底部１０１Ｄと一体形成された垂直壁と、それと一体形成され、少なくとも実質的に水平に延びる面とを好ましくは含む。特に、この面は、底部１０１Ｄに対して高い場所にあり、及び／又は少なくとも実質的にリング形のものである。
【０３２９】
底部１０１Ｄは、適切なサイズ及び形状の薬物容器２００がこの底部１０１Ｄの上に着座する又は載ることができ、特に底部１０１Ｄの内側輪郭と底部１０１Ｄの外側輪郭とが少なくとも実質的に同じであるように設計される。
【０３３０】
好ましくは、薬物容器２００が保持装置１００内に挿入された時、及び／又は服薬遵守管理システム１０の作動状態では、特に、薬物容器２００が保持装置１００内で水平移動に対して保持及び／又は固定されるように、ステップ１０１Ｅ、特にその垂直壁は、薬物容器２００又はリザーバ２０２の下側部品を取り囲む。
【０３３１】
ステップ１０１Ｅは、適切なサイズ及び形状の薬物容器２００がこのステップ１０１Ｅ上、特にその水平面上に着座する又は載ることができるように設計される。ステップ１０１Ｅの内側輪郭と薬物容器２００又はリザーバ２０２の外側輪郭とは、好ましくは少なくとも実質的に同じである。
【０３３２】
好ましくは、薬物容器２００が保持装置１００内に挿入された時、及び／又は服薬遵守管理システム１０の作動状態では、特に、薬物容器２００が保持装置１００内で水平移動に対して保持及び／又は固定されるように、レセプタクル１０１の垂直壁、又はステップ１０１Ｅと好ましくは一体形成された更に別のステップは、薬物容器２００又はリザーバ２０２の下側部品を取り囲む。
【０３３３】
これに加えて、レセプタクル１０１は、１よりも多いステップ１０１Ｅ、例えば、第１のステップ１０１Ｅに対して高い場所にある水平面を有する第２のステップ１０１Ｅを含むことができる。このようにして、レセプタクル１０１を異なるサイズ及び／又は形状の２よりも多い薬物容器２００を受け入れるように適応させることができる。
【０３３４】
図１３は、レセプタクル１０１内に保持されている間にステップ１０１Ｅ上に載るような寸法を有する薬物容器２００を有する服薬遵守管理システム１０を示している。特に、薬物容器２００は、ステップ１０１Ｅ上にのみ載り、薬物容器２００の底部とレセプタクル１０１の底部１０１Ｄとの間にクリアランスが形成される。小さめの（適切な）寸法を有する薬物容器２００は、その下側部品がこのクリアランス内に好ましくはこれに代えて適合する及び／又は底部１０１Ｄ上に載ることになる（図示せず）。
【０３３５】
特に、保持装置１００、レセプタクル１０１、底部１０１Ｄ、又はステップ１０１Ｅは、より大きい水平寸法を有する薬物容器２００がステップ１０１Ｅ上に着座する又は載ることができ、それに対して小さめの水平寸法を有する薬物容器２００が底部１０１Ｄ上に着座する又は載ることができるように設計される。
【０３３６】
異なるサイズの薬物容器２００だけではなく、異なる形状の薬物容器２００も受け入れるようにレセプタクル１０１を適応させることができることに注意されたい。例えば、底部１０１Ｄは、円形の形状又は外側輪郭を有することができ、同時にステップ１０１Ｅは、少なくとも実質的に正方形の外側輪郭を有する。
【０３３７】
しかし、実質的に同じ形状でサイズのみが異なる、特に非円形の水平断面及び／又は外側輪郭、特に好ましくは、少なくとも実質的に正方形の水平断面及び／又は外側輪郭を有する薬物容器２００を受け入れるようにレセプタクル１０１が適応されることが好ましい。
【０３３８】
非円形形状は、薬物容器２００がレセプタクル１０１内に回転移動に対して固定されることを特に単純な方式で保証する。それにより、例えば、リザーバ２０２が保持装置１００内に回転可能に固定された方式で保持されている間に容器２００の蓋２０１をねじり外すことによってそれを取り外すことが容易になる。
【０３３９】
第２の要素１１１は、薬物容器２００を保持及び／又は支持するための支持体、アーム、又はストップを好ましくは形成する又はそれを含む。
【０３４０】
特に、保持装置１００又は第２の要素１１１は、薬物容器２００を垂直側部上でのみ少なくとも実質的に支持する。
【０３４１】
垂直断面内では、保持装置１００は、好ましくは少なくとも実質的にＬ字形のものである。
【０３４２】
しかし、この場合に、他の構造ソリューション、例えば、薬物容器２００を支持する２つのアーム又はストップを形成する保持装置１００又は第２の要素１１１、又は薬物容器２００のリザーバ２０２を完全に覆う第２の要素１１１も可能である。
【０３４３】
好ましくは、第２の要素１１１は、検出デバイス１０２を含む、含有する、又は受け入れる。検出デバイス１０２は、薬物容器２００が保持装置１００によって受け入れられた時に薬物容器２００の検出ユニット２０４の近くに特に好ましくは位置付けられる。それにより、服薬活動の信頼性の高い検出を保証する。
【０３４４】
好ましくは、データ処理デバイス１０３又は制御デバイス１１５及び検出デバイス１０２は、保持装置１００の異なる要素に関連付けられ、特に、データ処理デバイス１０３又は制御デバイス１１５は、第１の要素１１０に関連付けられ、検出デバイス１０２は、第２の要素１１１に関連付けられる。従って、好ましくは、検出デバイス１０２及びデータ処理デバイス１０３又は制御デバイス１１５を接続するために、特に、第１の要素１１０及び第２の要素１１１を通って延びる電気接続部１１２が設けられる。
【０３４５】
第２の要素１１１は、薬物容器２００をその上部、肩部２０９、及び／又は首部２０７で保持又は固定するように好ましくは適応される。第２の要素１１１は、薬物容器２００が固定位置から離脱することを防止するように好ましくは設計された固定要素１０８Ａを好ましくは含む又はそれを形成する。
【０３４６】
固定要素１０８Ａは、少なくとも実質的に水平方向に、及び／又は保持装置１００の底部又はベース１２０及び／又はレセプタクル１０１の底部１０１Ｄに対して少なくとも実質的に平行に好ましくは延びる。薬物容器２００は、特に、保持装置１００内で下方から第１の要素１１０、ベース１２０、及び／又はレセプタクル１０１によって、かつ上方から第２の要素１１１及び／又は固定要素１０８Ａによって保持又は固定される。
【０３４７】
好ましくは、第２の要素１１１は、垂直断面内で少なくとも実質的にＬ字形のものであり、特に、支持体又はアームがＬ字形状の一方の脚部を形成し、固定要素１０８Ａが他方の脚部を形成する。
【０３４８】
固定要素１０８Ａは、好ましくはフォーク状及び／又は少なくとも実質的にＵ字形のものであり、及び／又は薬物容器２００の上部、肩部２０９、及び／又は首部２０７に当接する及び／又はこれらを部分的に取り囲むようになっている。特に、固定要素１０８Ａは、首部２０７を部分的に取り囲む及び／又は肩部２０９上に載るようになった指部を形成する又はそれを含むことができる。しかし、この場合に、他の構造ソリューション、例えば、図３及び図４に記載の第３の実施形態の場合のように成形された固定要素１０８Ａも可能である。
【０３４９】
好ましくは、固定要素１０８Ａ及び／又はその指部は、薬物容器２００、特にその上部、肩部２０９、及び／又は首部２０７に当接又は接触する接触要素１１６を含む又はそれを形成する。接触要素１１６は、保持装置１００の残余よりも軟質及び／又は弾性又は可撓性の材料で好ましくは作られ、及び／又は薬物容器２００は、例えば、望ましい性質を有するゴム又はプラスチックで作られる。それにより、薬物容器２００が固定要素１０８Ａによって緊密に保持及び／又は固定されることを保証する。特に、弾性及び／又は可撓性の接触要素１１６を設けることにより、固定要素１０８Ａが、若干異なる直径の首部２０７を有する薬物容器２００に適応することができることを保証する。
【０３５０】
任意的に、接触要素１１６は、接着性又は粘着性であることができ、それによって薬物容器２００を固定位置に保つこと及び／又は薬物容器２００を接触要素１１６との接触状態に保つことが好ましくは容易になる。
【０３５１】
これに代えて又はこれに加えて、保持装置１００の他の部品、特に、薬物容器２００を保持するレセプタクル１０１の部品も接触要素１１６と同じ又は類似の弾性材料で作ることができ、薬物容器２００をレセプタクル１０１内に固定することに関して類似の利点が得られる。例えば、レセプタクル１０１の側部を実質的に形成する図１１及び図１２に示す透明要素１０８Ｂをそのような材料で作ることができる。
【０３５２】
特に好ましくは、薬物容器２００は、薬物容器２００又はリザーバ２０２の特に下側部品においてレセプタクル１０１により、それと共に薬物容器２００の特に上部、肩部２０９、及び／又は首部２０７において固定要素１０８Ａによって固定される。特に、薬物容器２００は、下方からベース１２０、レセプタクル１０１、底部１０１Ｄ、及び／又はステップ１０１Ｅにより、上方から固定要素１０８Ａ及び／又は接触要素１１６によって支持又は保持される。
【０３５３】
このようにレセプタクル１０１に加えて固定要素１０８Ａを設けることにより、薬物容器２００は、保持装置１００に対する垂直移動に対して好ましくは固定され、それによって例えば薬物容器２００が保持装置１００から脱離することなく薬物容器２００を把持することによって服薬遵守管理システム１０を持ち上げることができる。
【０３５４】
好ましくは、固定要素１０８Ａは、特に上方から薬物容器２００の肩部２０９上に載り、従って、保持装置１００に対する薬物容器２００のいずれの垂直移動も防止する。保持装置１００に対する薬物容器２００の水平移動は、レセプタクル１０１により、特にその垂直側部によって好ましくは防止される。
【０３５５】
保持装置１００内に薬物容器２００を挿入する段階を容易にするために、固定要素１０８Ａ又は接触要素１１６は、１８０°又はそれよりも小さい包囲角を好ましくは有する。しかし、薬物容器２００が接触要素１１６に対して押圧された時に接触要素１１６が屈曲することができるように、例えば、接触要素１１６及び／又は固定要素１０８Ａの指部を可撓性とすることによって包囲角が１８０°よりも大きいことも可能である。
【０３５６】
服薬遵守管理システム１０又は保持装置１００は、移動可能要素、特に、互いに対して移動可能である第１の要素１１０及び第２の要素１１１を好ましくは含む。
【０３５７】
好ましくは、第２の要素１１１は、垂直方向Ｄに直線的に移動可能である。従って、保持装置１００の高さは調節可能であり、特に固定要素１０８Ａの位置を変更することができる。従って、服薬遵守管理システム１０又は保持装置１００は、異なる高さの薬物容器２００を受け入れるように好ましくは適応させることができる。
【０３５８】
固定要素１０８Ａは、第２の要素１１１の移動方向及び／又は垂直方向Ｄに対して少なくとも実質的に横断方向に、特に直角に好ましくは延びる。
【０３５９】
好ましくは、保持装置１００又は第１の要素１１０は、第２の要素１１１又は更に別の移動可能要素の移動を可動案内するのに好ましくはそり状の誘導器１１８を含む又はそれを形成する。しかし、この場合に、例えば、代わりに第２の要素１１１が誘導器１１８を含む又はそれを形成することができる他の構造ソリューションも可能である。
【０３６０】
誘導器１１８は、移動可能要素１１０、１１１の相対移動を垂直方向Ｄの望ましい直線移動に好ましくは限定する。
【０３６１】
好ましくは、保持装置１００又は第１の要素１１０は、第２の要素１１１を少なくとも部分的に受け入れる区画１１９を含む。区画１１９は、レセプタクル１０１の一部とすることができ、又はレセプタクル１０１とは別個に形成することができる。
【０３６２】
第２の要素１１１は、入れ子方式で、特に区画１１９の内外に好ましくは移動することができる。
【０３６３】
しかし、服薬遵守管理システム１０又は保持装置１００は、区画１１９なしで実現することができる。例えば、誘導器１１８は、第１の要素１１０及び／又はベース１２０の外側の背面及び／又は垂直側部に設けることができる。この場合に、第２の要素１１１は、保持装置１００の外側で特に区画１１９によって受け入れられることなく可動案内される。
【０３６４】
保持装置１００又は第１の要素１１０は、第１の要素１１０及び第２の要素１１１、及び／又は更に別の移動可能要素を相対移動に対して解除可能にロックするための少なくとも１つのロッキングデバイス１１７を好ましくは含む。しかし、この場合に、ロッキングデバイス１１７を含む第２の要素１１１のような他の構造ソリューションも可能である。
【０３６５】
図１４は、そのようなロッキングデバイス１１７の例を示している。図１４は、薬物容器２００が取り外された状態及び／又は作動不能状態にある図１２に記載の概略前面図である。更に、図１２と比較すると、この例ではバッテリ１０７の背後に位置付けられたロッキングデバイス１１７が図１４で可視になるように、バッテリ１０７又はいずれかの他の構成要素も取り外されている。
【０３６６】
ロッキングデバイス１１７は、移動可能要素、特に第１の要素１１０及び第２の要素１１１を圧力嵌め、形態嵌合、及び／又はスナップ方式で相対移動に対して好ましくはロックする。
【０３６７】
好ましくは、ロッキングデバイス１１７は、移動可能要素１１０、１１１が予め決められた位置に到達した時にこれらの移動可能要素が更なる相対移動に対して自動的にロックされるようになっている。特に、ロッキングデバイス１１７は、１よりも多い予め決められた位置が設けられるように適応させることができる。
【０３６８】
好ましくは、移動可能要素１１０、１１１を解除又はアンロックするために及び／又は移動可能要素１１０、１１１の移動を可能にするために、保持装置１００及び／又はロッキングデバイス１１７は、少なくとも１つの解除ボタン１１３Ａを含む又はそれを形成する。
【０３６９】
特に好ましくは、保持装置１００又はロッキングデバイス１１７は、保持装置１００の反対側に位置付けられた２つの解除ボタン１１３Ａを含む。
【０３７０】
特により好ましくは、保持装置１００又はロッキングデバイス１１７は、両方の解除ボタン１１３Ａが特に保持装置１００の反対側から同時に押下された場合にのみアンロックされるようになっている。それにより、移動可能要素１１０、１１１が偶発的にアンロックされないことを保証する。
【０３７１】
以下では、図１４を参照してロッキングデバイス１１７の好ましい実施形態を説明する。しかし、この場合に、他の構造ソリューションも可能である。
【０３７２】
ロッキングデバイス１１７は、少なくとも２つのラッチ１１７Ａと、バネ１１７Ｂと、２つの解除ボタン１１３Ａとを好ましくは含む。特に、バネ１１７Ｂは、ロッキングデバイス１１７の中心に位置付けられ、解除ボタン１１３Ａは、ロッキングデバイス１１７の２つの対向する側部に位置付けられ、２つのラッチ１１７Ａの各々は、それぞれの解除ボタン１１３Ａをバネ１１７Ｂに接続する。しかし、この場合に、他の構造ソリューション、例えば、１つの解除ボタン１１３Ａ及び対応するラッチ１１７Ａのみを備えるロッキングデバイスも可能である。
【０３７３】
特に好ましくは、ロッキングデバイス１１７は、１つの部品で作られ、及び／又は第１の要素１１０内に形態嵌合によって保持される又はそれと一体形成される。
【０３７４】
ラッチ１１７Ａは、第２の要素１１１内に設けられた陥凹１１１Ｂと好ましくは圧力嵌め方式、形態嵌合方式、及び／又はスナップ方式で好ましくは係合することができる。特に、ラッチ１１７Ａが陥凹１１１Ｂに係合する時に、移動可能要素、特に第１の要素１１０及び第２の要素１１１の相対移動が防止され、及び／又は第１の要素１１０、第２の要素１１１、及び／又は更に別の要素が相対移動に対してロックされる。
【０３７５】
好ましくは、バネ１１７Ｂは、ロッキングデバイス１１７又はラッチ１１７Ａに対して力を作用する。バネ１１７Ｂ及び／又はバネ１１７Ｂによって作用される力は、ラッチ１１７Ａが陥凹１１１Ｂに保持される及び／又はそこから離脱することができないこと、すなわち、移動可能要素１１０、１１１の相対移動を防止することを保証する。
【０３７６】
好ましくは、解除ボタン１１３Ａ、特に両方の解除ボタン１１３Ａを同時に押下することにより、ロッキングデバイス１１７のバネ１１７Ｂが圧縮され、それによってロッキングデバイス１１７及び／又はラッチ１１７Ａに対して作用される力が好ましくは相殺又は補償される。
【０３７７】
移動可能要素１１０、１１１は、互いに対する異なる位置で好ましくはロック可能であり、特に、第２の要素１１１は異なる高さ位置でロック可能である。
【０３７８】
特に好ましくは、第２の要素１１１は、第２の要素１１１上の異なる垂直位置に位置付けられた少なくとも２つの陥凹１１１Ｂを含む。従って、第１の要素１１０に対して第２の要素１１１を移動することにより、ラッチ１１７Ａは異なる陥凹１１１Ｂに係合し、第２の要素１１１、特に固定要素１０８Ａの異なる固定高さ位置がもたらされる。しかし、この場合に、他の構造ソリューション、例えば、異なる高さに配置された複数のラッチ１１７Ａに係合することができる１つの陥凹１１１Ｂのみを設けることも可能である。
【０３７９】
好ましくは、移動可能要素１１０、１１１の異なるロッキング位置は、異なるサイズ及び／又は形状、特に異なる高さを有する薬物容器２００に対応する。この例では、第２の要素１１１は、２つの異なる垂直位置に陥凹１１１Ｂを含み、保持装置１００の２つの異なるロッキング位置をもたらす。しかし、２よりも多い異なるロッキング位置を達成することができるようにロッキングデバイス１１７又は保持装置１００を適応させることができる。
【０３８０】
これに代えて、ラッチ１１７Ａ及び陥凹１１１Ｂを持たないロッキングデバイス１１７を設けることも可能である。この場合に、バネ１１７Ｂの力は、第２の要素１１１に対して好ましくは直接に作用され、第２の要素１１１が第１の要素１１０に対して押圧され、及び／又は移動可能要素１１０、１１１が互いに対して移動することが圧力嵌めによってロックされる。この場合に、保持装置１００の高さを連続的に調節することができ、及び／又は保持装置１００を最小高さと最大高さの間のあらゆる高さに合わせることができる。
【０３８１】
薬物容器２００を保持装置１００内に挿入する段階は、最初に第２の要素１１１及び／又は固定要素１０８Ａをその最上位置まで移動し、特に、次に、薬物容器２００が固定要素１０８Ａによって保持されて垂れ下がるように薬物容器２００を固定要素１０８Ａ内に挿入することによって実施することができる。次に、第２の要素１１１及び／又は固定要素１０８Ａは、薬物容器２００と共に薬物容器２００がレセプタクル１０１内に収まる位置に到達するまで下げる及び／又は保持装置１００の第１の要素１１０及び／又は底部又はベース１２０に対して移動することができる。好ましくは、この位置はまた、保持装置１００のロッキング位置のうちの１つに対応する。
【０３８２】
異なるサイズ及び／又は異なる形状の薬物容器２００に適応するように移動可能である代わりに又はそれに加えて、要素１１０、１１１は、従って、薬物容器２００を保持装置１００又はレセプタクル１０１内に挿入することを可能又は容易にするために、及び／又は挿入された後に薬物容器２００を固定又は安定化するために移動可能にすることができる。この場合に、異なる薬物容器２００に対する高さ調節が必要とされない場合に移動可能要素１１０、１１１が１つの位置でしかロック可能ではないことも可能である。
【０３８３】
第２の要素１１１を移動することによって薬物容器２００を挿入する代わりに又はそれに加えて、薬物容器２００を保持装置１００内に側部から挿入することができるように保持装置１００、レセプタクル１０１、及び／又は固定要素１０８Ａを適応させることができる。この場合に、薬物容器２００は、最初に薬物容器２００又はそのリザーバ２０２をレセプタクル１０１内に挿入し、次に、薬物容器２００又はその首部２０７又は肩部２０９を固定要素１０８Ａ又は接触要素１１６に対して押圧することによって保持装置１００内に好ましくは挿入される。
【０３８４】
レセプタクル１０１は、薬物容器２００が挿入時にレセプタクル１０１内で中心に自己整合するように適応させることができる。これは、特に、レセプタクル１０１及び／又はステップ１０１Ｅの壁に少なくともレセプタクル１０１の下側部品及び／又は底部１０１Ｄの領域でレセプタクル１０１の中心に向う傾斜を付けることによって達成することができる（図示せず）。
【０３８５】
保持装置１００内に挿入される時及び／又は作動状態では、薬物容器２００は、特にそれが自ら保持装置１００から脱離することができないように、圧力嵌め、形態嵌合、及び／又はスナップ方式で保持装置１００又はレセプタクル１０１内に好ましくは保持又は固定され、及び／又はユーザ又は患者によって使用される時、すなわち、服薬遵守管理システム１０が持ち上げられる又は傾斜される時に、蓋２０１は、薬物容器２００からねじり外される又は別途取り外されるなどが行われる。
【０３８６】
好ましくは、服薬遵守管理システム１０は、薬物容器２００が保持装置１００内に完全に挿入されて固定又は安定にされた時、特に、保持装置１００が正しい高さに調節され、移動可能要素１１０、１１１が相対移動に対してロックされた時にのみ作動状態にある。服薬遵守管理システム１０が作動不能状態にある場合、及び／又は薬物容器２００が保持装置１００内に正しく挿入されていない又はそれによって正しく受け入れられていない場合に、システム１０は、例えば、ディスプレイ１０４Ａ又は他の通知デバイス１０４により、どのようにして服薬遵守管理システム１０を作動状態に入れるかをユーザ又は患者に好ましくは通知することができ、特に、どのように保持装置１００の移動可能要素１１０、１１１を移動するかに関する表示などを与える。
【０３８７】
図１５は、第８の実施形態による服薬遵守管理システム１０を概略断面側面図に示している。
【０３８８】
好ましくは、保持装置１００又はハウジング１０８は、薬物容器２００の上部、首部２０７、及び／又は肩部２０９を取り囲むカラー又はリングとして少なくとも実質的に形成される。
【０３８９】
好ましくは、保持装置１００又はハウジング１０８は、薬物容器２００又はその周囲を完全に取り囲む。しかし、保持装置１００が薬物容器２００を部分的にしか取り囲まず、及び／又はカラー又はリングの一区画として少なくとも実質的に形成されることも可能である。
【０３９０】
薬物容器２００に接続された時に、保持装置１００は、薬物容器２００の上部、肩部２０９、及び／又は首部２０７の領域内にのみ好ましくは位置付けられる。これに代えて、保持装置１００は、リザーバ２０２の更に下に及び／又は容器２００の底部の周りに延びることができる。
【０３９１】
保持装置１００は、少なくとも実質的に形成されたリング状のものであり、薬物容器２００の外形に少なくとも実質的に似ている及び／又はレセプタクル１０１を形成する内周面を有する。特に、図示の薬物容器２００に関しては、内周面の水平断面は、首部２０７の領域内で少なくとも実質的に円形であり、肩部２０９及び／又はリザーバ２０２の領域内で少なくとも実質的に正方形である。しかし、この場合に、例えば、厚紙パッケージのような異なる薬物容器２００と併用される時に他の構造ソリューションも可能である。
【０３９２】
実質的に正方形の薬物容器２００又はリザーバ２０２と、対応する保持装置１００のレセプタクル１０１又は内周面とは、保持装置１００と薬物容器２００が好ましくは回転可能に結合されることを保証する。従って、蓋２０１をねじり外す時に、リザーバ２０２は保持装置１００に対して回転しない。
【０３９３】
保持装置１００は、薬物容器２００に圧力嵌め、形態嵌合、及び／又はスナップ方式で好ましくは保持、固定、又は安定化される。
【０３９４】
特に、保持装置１００は、固定要素１０８Ａを形成する又はそれを含む。固定要素１０８Ａは、薬物容器２００の先細部又は首部２０７に係合し、及び／又は薬物容器２００の肩部２０９上に載る又は当接するように好ましくは適応される。
【０３９５】
固定要素１０８Ａは、保持装置１００の内周面全体に沿って延びることができ、又は内周面から延びる及び／又はレセプタクル１０１内に突入する１又は２以上の突起によって形成することができる。
【０３９６】
これに加えて、薬物容器２００は、その首部２０７の周りに、保持装置１００又は固定要素１０８Ａの上で部分的に延びるフランジ２０８を含むことができる。特に、固定要素１０８Ａは、フランジ２０８と肩部２０９とによって又はこれらの間に形成された陥凹に係合するように適応させることができる。それにより、保持装置１００が薬物容器２００に、特に、上方からフランジ２０８によって、下方から肩部２０９によって垂直移動に対して固定されることを保証する。
【０３９７】
固定要素１０８Ａは、特に、先の実施形態において上述したように弾性、可撓性、及び／又は接着性の接触要素１１６を形成する又はそれを含むことができる。
【０３９８】
保持装置１００は、上方から薬物容器２００と接続可能であるように適応させることができる。
【０３９９】
好ましくは、保持装置１００は、上方から薬物容器２００上に又はそこに配置された時に薬物容器２００に自動的に固定又は安定化される。特に、固定要素１０８Ａ又はその突起は可撓性を有し、フランジ２０８に沿って通される時に屈曲する。
【０４００】
これに代えて又はこれに加えて、保持装置は、薬物容器２００と周囲面から接続可能であるように適応させることができる。
【０４０１】
この目的のために、保持装置１００は好ましくは開放可能である。この場合に、保持装置１００は、ヒンジなどで接続された２つの要素で好ましくは形成され、２つの要素は、このヒンジの場所で互いに対してピボット回転可能である。保持装置１００は、２つのピボット可能要素を互いに固定するためのラッチ機構を更に含むことができる。
【０４０２】
すなわち、保持装置１００と薬物容器２００とを互いに接続するために、２つの要素をピボット回転させることによって保持装置１００を開放することができる。特に、保持装置１００の開口部及び／又はレセプタクル１０１をこのようにして拡大することができ、それによって薬物容器２００を側部から受け入れることができる。その後に、保持装置１００を閉鎖することによって保持装置１００を薬物容器２００に固定することができる。
【０４０３】
カラー又はリングの一セクションのみを形成する保持装置１００は、それを周囲側部から薬物容器２００の首部２０７及び／又は肩部２０９の周りに特にピボット可能要素を必要とせずに巻き付けることができるように好ましくは柔軟に適応される。
【０４０４】
保持装置１００又はハウジング１０８は、制御デバイス１１５、検出器デバイス１０２、データ処理デバイス１０３、メモリ１０３Ａ、時間ベース１０３Ｂ、視覚化デバイス１０４、ユーザインタフェース１０５、通信デバイス１０６、バッテリ１０７、及び／又はいずれかの更に別のデバイスを好ましくは含む。特に、これらのデバイスの一部又は全ては、リング状又はリングのセクションのように形成することができる。それにより、デバイスが保持装置１００又はハウジング１０８内に適正に嵌合することを保証する。
【０４０５】
これに加えて、保持装置１００は、第２の要素１１１を更に別の要素として含むことができ、上述のカラー状の要素が特に第１の要素１１０を形成する。図５には、更に別の又は第２の要素１１１が破線で示されている。
【０４０６】
更に別の又は第２の要素１１１は、薬物容器２００を底部の場所で又はそこから好ましくは固定する。特に、垂直断面では、更に別の又は第２の要素１１１は、少なくとも実質的にＬ字形とすることができる。Ｌ字形状の一方の脚部は、薬物容器２００又はリザーバ２０２の１つの垂直側部又は縁部に沿って延びるアーム又はストップを好ましくは形成する。Ｌ字形状の他方の脚部は、少なくとも実質的に水平に及び／又は薬物容器２００の底部と平行に好ましくは延び、及び／又は服薬遵守管理システム１０又は保持装置１００のベース１２０を形成する。
【０４０７】
特に、薬物容器２００は、保持装置１００内で下方から第２の要素１１１によって、上方からカラー状又は第１の要素１１０によって垂直移動に対して保持、固定、又は安定化される。カラー状又は第１の要素１１０は、薬物容器２００を水平移動に対して好ましくは固定又は安定化する。
【０４０８】
更に別の又は第２の要素１１１は、カラー状又は第１の要素１１０に脱離不能に固定することができるか、又は更にこの要素１１０及び／又は保持装置１００から取り外し可能にすることができるかのいずれかである。更に別の又は第２の要素１１１は、例えば、異なるサイズ及び／又は形状の薬物容器２００に適応するように交換可能であるモジュール式要素として設計することができる。
【０４０９】
好ましくは、更に別の又は第２の要素１１１は、カラー状又は第１の要素１１０に対して移動可能である。それによって保持装置１００は、異なる高さの薬物容器２００に好ましくは適応可能である。
【０４１０】
特に好ましくは、更に別の又は第２の要素１１１は、先の実施形態に関して説明した方法で移動可能であるが、第１の要素１１０の位置と第２の要素１１１の位置が逆転しており、特に、第１の要素１１０は、固定要素１０８Ａを含む又はそれを形成し、第２の要素１１１は、ベース１２０を含む又はそれを形成する。
【０４１１】
好ましくは、検出ユニット２０４は、例えば、ラベル、接着剤、又はキャップ１１４などを用いて、好ましくは蓋２０１の上面、内面、又は周囲で薬物容器２００の蓋２０１に統合される又は取り付けられる。
【０４１２】
異なる実施形態、異なる実施形態の特徴及び態様、及び／又は上述で又は特許請求の範囲で言及するものは、互いに独立に、同じくあらゆる組合せで実現することができる。
【０４１３】
特に、本発明は、独立に又はあらゆる組合せで、同じく上述した又は特許請求の範囲におけるいずれかの態様との組合せで実現することができる以下の態様のいずれか１つにも関連する。
【０４１４】
１．薬物容器（２００）を保持するための保持装置（１００）を含み、保持装置（１００）が、薬物容器（２００）を保持するためのレセプタクル（１０１）と、レセプタクル（１０１）内の薬物容器（２００）の開放及び閉鎖を無線で認識するための検出器デバイス（１０２）と、薬物容器（２００）が開放及び閉鎖された時に服薬活動を登録するように検出器デバイス（１０２）のデータを処理するためのデータ処理デバイス（１０３）とを含む服薬遵守管理システム（１０）。
【０４１５】
２．好ましくは態様１に記載の薬物容器（２００）に対する保持装置（１００）を含み、保持装置（１００）が、薬物容器（２００）を保持するためのレセプタクル（１０１）と、レセプタクル（１０１）内で薬物容器（２００）を計量するための検出器デバイス（１０２）と、薬物容器（２００）が重量を失った時に服薬活動を登録するように検出器デバイス（１０２）のデータを処理するためのデータ処理デバイス（１０３）とを含む服薬遵守管理システム（１０）。
【０４１６】
３．好ましくは先行態様の１つに記載の薬物容器（２００）を保持するためのレセプタクル（１０１）を有する保持装置（１００）を含み、服薬遵守管理システム（１０）又は保持装置（１００）が、服薬活動、薬物容器（２００）の開放又は閉鎖、及び／又は薬物容器（２００）の重量損失を登録するための検出器デバイス（１０２）及び／又はデータ処理デバイス（１０３）を含む服薬遵守管理システム（１０）であって、服薬遵守管理システム、保持装置（１００）、及び／又はそのハウジング（１０８）が、少なくとも第１の要素（１１０）及び第２の要素（１１１）という互いから分離可能な複数のモジュール式要素を含むことを特徴とする。
【０４１７】
４．第１の要素（１１０）が、データ処理デバイス（１０３）を含むことを特徴とする態様３に記載の服薬遵守管理システム。
【０４１８】
５．第１の要素（１１０）が、視覚化デバイス及び／又は通知デバイス（１０４）、ユーザインタフェース（１０５）、通信デバイス（１０６）、及び／又はバッテリ（１０７）を含むことを特徴とする態様３又は４に記載の服薬遵守管理システム。
【０４１９】
６．第１の要素（１１０）が、服薬遵守管理システム（１０）又は保持装置（１００）のベース又は底部を形成することを特徴とする態様３から５の１つに記載の服薬遵守管理システム。
【０４２０】
７．第２の要素（１１１）が、少なくとも実質的にレセプタクル（１０１）を形成することを特徴とする態様３から６の１つに記載の服薬遵守管理システム。
【０４２１】
８．第２の要素（１１１）が、薬物容器（２００）又はそのリザーバ（２０２）に対するスリーブを形成することを特徴とする態様３から７の１つに記載の服薬遵守管理システム。
【０４２２】
９．第２の要素（１１１）が、薬物容器（２００）を保持及び／又は支持する支持体、アーム、及び／又は肩部を形成することを特徴とする態様３から８の１つに記載の服薬遵守管理システム。
【０４２３】
１０．第２の要素（１１１）が、検出器デバイス（１０２）を含むことを特徴とする態様３から９の１つに記載の服薬遵守管理システム。
【０４２４】
１１．第２の要素（１１１）が、第２の要素（１１１）内に位置付けられた検出器デバイス（１０２）を第１の要素（１１０）内に位置付けられたデータ処理デバイス（１０３）に接続する電気接続部（１１２）を含むことを特徴とする態様３から１０の１つに記載の服薬遵守管理システム。
【０４２５】
１２．システム（１０）、保持装置（１００）、及び／又はそのハウジング（１０８）が、更に別の要素としてキャップ（１１４）又はカバー（１０９）を含むことを特徴とする態様３から１１の１つに記載の服薬遵守管理システム。
【０４２６】
１３．キャップ（１１４）又はカバー（１０９）が、検出器デバイス（１０２）によって好ましくは無線で検出可能な検出ユニット（２０４）を含むことを特徴とする態様１２に記載の服薬遵守管理システム。
【０４２７】
１４．モジュール式要素の一部又は全てが、圧力嵌め、形態嵌合、及び／又はスナップ方式で脱離可能に互いに接続されることを特徴とする態様３から１３の１つに記載の服薬遵守管理システム。
【０４２８】
１５．保持装置（１００）が、モジュール式要素の一部又は全てを解除又はアンロックするための少なくとも１つの解除ボタン（１１３Ａ）を有することを特徴とする態様１４に記載の服薬遵守管理システム。
【０４２９】
１６．モジュール式要素の一部又は全てが、保持装置（１００）又はレセプタクル（１０１）を異なるサイズ及び／又は異なる形状の薬物容器（２００）に適応させるために交換可能であることを特徴とする態様３から１５の１つに記載の服薬遵守管理システム。
【０４３０】
１７．好ましくは態様１から１６の１つに記載の薬物容器（２００）を保持するためのレセプタクル（１０１）を有する保持装置（１００）を含み、服薬遵守管理システム（１０）又は保持装置（１００）が、服薬活動、薬物容器（２００）の開放又は閉鎖、及び／又は薬物容器（２００）の重量損失を登録するための検出器デバイス（１０２）及び／又はデータ処理デバイス（１０３）を含む服薬遵守管理システム（１０）であって、保持装置（１００）が、薬物容器（２００）を保持及び／又は固定するために互いに対して移動可能である少なくとも第１の要素（１１０）及び第２の要素（１１１）という要素を含むことを特徴とする。
【０４３１】
１８．第１の要素（１１０）と第２の要素（１１１）が合わさって薬物容器（２００）を挿入するために開放することができる引き出しを形成することを特徴とする態様１７に記載の服薬遵守管理システム。
【０４３２】
１９．薬物容器（２００）が、引き出しを閉鎖すること、及び／又は第２の要素（１１１）を移動して第１の要素（１１０）のレセプタクル（１０１Ｂ）内に入れることによって固定又は安定にされることを特徴とする態様１７又は１８に記載の服薬遵守管理システム。
【０４３３】
２０．第１の要素（１１０）と第２の要素（１１１）を互いに対して回転させることができることを特徴とする態様１７から１９の１つに記載の服薬遵守管理システム。
【０４３４】
２１．第１の要素（１１０）及び／又は第２の要素（１１１）を移動することにより、薬物容器（２００）を固定又は安定化する締結機構が作動されることを特徴とする態様１７から２０の１つに記載の服薬遵守管理システム。
【０４３５】
２２．第１の要素（１１０）と第２の要素（１１１）が互いに分離不能であることを特徴とする態様１７から２１の１つに記載の服薬遵守管理システム。
【０４３６】
２３．第１の要素（１１０）、第２の要素（１１１）、及び／又は更に別の要素が、互いから分離可能であり、及び／又は交換可能であることを特徴とする態様１７から２１の１つに記載の服薬遵守管理システム。
【０４３７】
２４．服薬遵守管理システム（１０）が、保持装置（１００）によって保持される薬物容器（２００）を含むことを特徴とする先行態様の１つに記載の服薬遵守管理システム。
【０４３８】
２５．好ましくは態様１から２４の１つに記載の薬物容器（２００）を保持するレセプタクル（１０１）を有する保持装置（１００）を含み、服薬遵守管理システム（１０）又は保持装置（１００）が、服薬活動、薬物容器（２００）の開放又は閉鎖、及び／又は薬物容器（２００）の重量損失を登録するための検出器デバイス（１０２）及び／又はデータ処理デバイス（１０３）を含み、薬物容器（２００）が、蓋（２０１）と薬物（２０３）のためのリザーバ（２０２）とを含む服薬遵守管理システム（１０）であって、保持装置（１００）が、蓋（２０１）とリザーバ（２０２）の間に位置付けられた先細部及び／又は首部（２０７）で薬物容器（２００）を保持することを特徴とする。
【０４３９】
２６．服薬遵守管理システム（１０）が、薬物容器（２００）がその先細部及び／又は首部（２０７）で保持されている間に保持装置（１００）内で垂れ下がるようになっていることを特徴とする態様２５に記載の服薬遵守管理システム。
【０４４０】
２７．先細部及び／又は首部（２０７）が、フランジ（２０８）を含むことを特徴とする態様２５又は２６に記載の服薬遵守管理システム。
【０４４１】
２８．保持装置（１００）が、レセプタクル（１０１）の上部に開口部（１１１Ａ）を含み、開口部（１１１Ａ）の直径が、先細部及び／又は首部（２０７）の直径よりも大きいが、フランジ（２０８）の直径よりも小さいことを特徴とする態様２７に記載の服薬遵守管理システム。
【０４４２】
２９．服薬遵守管理システム（１０）が、フランジ（２０８）が開口部（１１１Ａ）の縁部上に載るように設計されることを特徴とする態様２８に記載の服薬遵守管理システム。
【０４４３】
３０．開口部（１１１Ａ）は、薬物容器（２００）を挿入する又は取り外すために拡大することができることを特徴とする態様２８又は２９に記載の服薬遵守管理システム。
【０４４４】
３１．レセプタクル（１０１）が、薬物容器（２００）の異なる形状及び／又はサイズのリザーバ（２０２）を受け入れるように設計されることを特徴とする態様２５から３０の１つに記載の服薬遵守管理システム。
【０４４５】
３２．好ましくは態様１から３１の１つに記載の薬物容器（２００）を保持するレセプタクル（１０１）を有する保持装置（１００）を含み、服薬遵守管理システム（１０）又は保持装置（１００）が、服薬活動、薬物容器（２００）の開放又は閉鎖、及び／又は薬物容器（２００）の重量損失を登録するための検出器デバイス（１０２）及び／又はデータ処理デバイス（１０３）を含み、薬物容器（２００）が、取り外し可能蓋（２０１）と薬物（２０３）のためのリザーバ（２０２）とを含む服薬遵守管理システム（１０）であって、服薬遵守管理システム（１０）又は保持装置（１００）が、圧力嵌め方式、形態嵌合方式、及び／又はスナップ方式で蓋（２０１）を受け入れてそれに接続するようになったキャップ（１１４）を含むことを特徴とする。
【０４４６】
３３．キャップ（１１４）と蓋（２０１）が、リザーバ（２０２）から取り外し可能及びそれに取り付け可能であるユニットを形成することを特徴とする態様３２に記載の服薬遵守管理システム。
【０４４７】
３４．キャップ（１１４）に対して作用されたタンジェンシャル力が蓋（２０１）上に伝達されることを特徴とする態様３２又は３３に記載の服薬遵守管理システム。
【０４４８】
３５．キャップ（１１４）が、蓋（２０１）上に上部からクリップ留めする又は差し込むことができることを特徴とする態様３２から３４の１つに記載の服薬遵守管理システム。
【０４４９】
３６．キャップ（１１４）が、蓋（２０１）を完全に覆うことを特徴とする態様３２から３５の１つに記載の服薬遵守管理システム。
【０４５０】
３７．キャップ（１１４）は、蓋（２０１）から取り外すことができることを特徴とする態様３２から３６の１つに記載の服薬遵守管理システム。
【０４５１】
３８．キャップ（１１４）が、蓋（２０１）と脱離不能に接続されることを特徴とする態様３２から３６の１つに記載の服薬遵守管理システム。
【０４５２】
３９．キャップ（１１４）が、蓋（２０１）上に設けられた溝（２０１Ａ）に係合することを特徴とする態様３２から３８の１つに記載の服薬遵守管理システム。
【０４５３】
４０．キャップ（１１４）が、検出器デバイス（１０２）によって好ましくは無線で検出可能な検出ユニット（２０４）を含むことを特徴とする態様３２から３９の１つに記載の服薬遵守管理システム。
【０４５４】
４１．薬物容器（２００）が、検出器デバイス（１０２）によって好ましくは無線で検出可能な検出ユニット（２０４）を含むことを特徴とする態様２４から４０の１つに記載の服薬遵守管理システム。
【０４５５】
４２．検出ユニット（２０４）が、光学参照要素、特に参照パターン、磁石、及び／又は電子参照要素、特にＲＦＩＤタグを含むことを特徴とする態様４０又は４１に記載の服薬遵守管理システム。
【０４５６】
４３．薬物容器（２００）のリザーバ（２０２）が、非円形水平断面を有することを特徴とする態様２４から４２の１つに記載の服薬遵守管理システム。
【０４５７】
４４．保持装置（１００）又はレセプタクル（１０１）が、薬物容器（２００）を回転可能に固定される方式で保持することを特徴とする先行態様の１つに記載の服薬遵守管理システム。
【０４５８】
４５．検出器デバイス（１０２）が、薬物容器（２００）又はその検出ユニット（２０４）との光学的、電子的、磁気的、遠隔的、及び／又は超音波的相互作用が可能であることを特徴とする先行態様の１つに記載の服薬遵守管理システム。
【０４５９】
４６．検出器デバイス（１０２）が、薬物容器（２００）の検出ユニット（２０４）の少なくとも一部又は検出ユニット（２０４）を好ましくは認識する又は読み取ることによって薬物容器（２００）内の薬物（２０３）のタイプ及び／又は薬物容器（２００）のサイズを認識する機能を有することを特徴とする先行態様の１つに記載の服薬遵守管理システム。
【０４６０】
４７．データ処理デバイス（１０３）が、服薬遵守管理システム（１０）の場所で時間、場所、及び／又は温度を決定するためのユニットを含む又はそれに関連付けられることを特徴とする先行態様の１つに記載の服薬遵守管理システム。
【０４６１】
４８．保持装置（１００）が、視覚化デバイス及び／又は通知デバイス（１０４）を含むことを特徴とする先行態様の１つに記載の服薬遵守管理システム。
【０４６２】
４９．保持装置（１００）が、服薬遵守管理システム（１０）を制御することを可能にするユーザインタフェース（１０５）を含むことを特徴とする先行態様の１つに記載の服薬遵守管理システム。
【０４６３】
５０．服薬遵守管理システム（１０）、保持装置（１００）、又はデータ処理デバイス（１０３）が、外部デバイス（３００）及び／又はネットワークと通信するための通信デバイス（１０６）又はインタフェースを含む又はこれらに関連付けられることを特徴とする先行態様の１つに記載の服薬遵守管理システム。
【０４６４】
５１．服薬遵守管理システム（１０）が、外部電源から作動的に独立していることを特徴とする先行態様の１つに記載の服薬遵守管理システム。
【０４６５】
５２．保持装置（１００）又はそのハウジング（１０８）が、少なくとも部分的に密封され、好ましくは実質的に水密及び／又は気密であることを特徴とする先行態様の１つに記載の服薬遵守管理システム。
【０４６６】
５３．システム（１０）、及び／又は保持装置（１００）、及び／又はレセプタクル（１０１）が、薬物容器（２００）を完全に受け入れる及び／又は覆うようになっていることを特徴とする先行態様の１つに記載の服薬遵守管理システム。
【０４６７】
５４．保持装置（１００）が、薬物容器（２００）及び／又はそのラベル（２０６）が服薬遵守管理システム（１０）の各状態で少なくとも実質的に可視であるように設計されることを特徴とする先行態様の１つに記載の服薬遵守管理システム管理システム。
【０４６８】
５５．保持装置（１００）又はそのハウジング（１０８）が、窓又は開口部を有し、及び／又は少なくとも実質的に透明であることを特徴とする態様５４に記載の服薬遵守管理システム。
【０４６９】
５６．レセプタクル（１０１）が、薬物容器（２００）の外形に少なくとも実質的に似ていることを特徴とする先行態様の１つに記載の服薬遵守管理システム。
【０４７０】
５７．レセプタクル（１０１）が、薬物容器（２００）が固定位置から離脱することを防止する少なくとも１つの固定要素（１０８Ａ）を含むことを特徴とする先行態様の１つに記載の服薬遵守管理システム。
【０４７１】
５８．薬物の複数の投与量（２０３）を含有する薬物容器（２００）が、保持装置（１００）によって保持され、保持装置（１００）の検出器デバイス（１０２）が、薬物容器（２００）の開放及び閉鎖を遠隔的に検出し、薬物容器（２００）が開放及び閉鎖される度に、データ処理デバイス（１０３）が服薬活動を登録する服薬遵守管理のための方法。
【０４７２】
５９．活動後、及び／又は特定の時間で、及び／又は要求時に、データが、受信機、特にサーバ又はデータセンターに通信デバイス（１０６）を通して送信されることを特徴とする態様５８に記載の方法。
【０４７３】
６０．送信データが、活動の１又は２以上の事象、活動回数、活動事象の時間、及び／又はデータ処理デバイス（１０３）内に設定された基準値に関するものであることを特徴とする態様５９に記載の方法。
【０４７４】
６１．データ処理デバイス（１０３）からの送信データが、遠隔場所で自動的に及び／又は医療専門家によって評価されることを特徴とする態様５８から６０のいずれかに記載の方法。
【０４７５】
６２．その後に、制御データが、データ処理デバイス（１０３）に送信されることを特徴とする態様６１に記載の方法。
【０４７６】
参照符号リスト
１０  服薬遵守管理システム
１００  保持装置
１０１  容器
１０１Ａ  区画
１０１Ｂ  第１のレセプタクル
１０１Ｃ  第２のレセプタクル
１０１Ｄ  底部
１０１Ｅ  ステップ
１０２  検出器デバイス
１０３  データ処理デバイス
１０３Ａ  メモリ
１０３Ｂ  時間ベース
１０４  視覚化デバイス
１０４Ａ  ディスプレイ
１０４Ｂ  光ストリップ
１０５  ユーザインタフェース
１０６  通信デバイス
１０７  バッテリ
１０８  ハウジング
１０８Ａ  固定要素
１０８Ｂ  透明要素
１０９  カバー
１１０  第１の要素
１１０Ａ  開口部
１１０Ｂ  把持部分
１１０Ｃ  フレーム
１１０Ｄ  突起
１１１  第２の要素
１１１Ａ  開口部
１１１Ｂ  陥凹
１１２  電気接続部
１１３Ａ  解除ボタン
１１３Ｂ  開放ボタン
１１４  キャップ
１１４Ａ  保持部分
１１４Ｂ  係合部分
１１４Ｃ  安定化部分
１１５  制御デバイス
１１６  接触要素
１１７  ロッキングデバイス
１１７Ａ  ラッチ
１１７Ｂ  バネ
１１８  誘導器
１１９  区画
１２０  ベース
２００  薬物容器
２０１  蓋
２０１Ａ  溝
２０２  リザーバ
２０３  薬物
２０４  検出ユニット
２０５  ブリスター
２０６  ラベル
２０７  首部
２０８  フランジ
２０９  肩部
３００  外部デバイス
Ｄ  移動の方向
【図１】
2019531137.tif 000003
【図２】
2019531137.tif 000004
【図３】
2019531137.tif 000005
【図４】
2019531137.tif 000006
【図５】
2019531137.tif 000007
【図６】
2019531137.tif 000008
【図７】
2019531137.tif 000009
【図８】
2019531137.tif 000010
【図９】
2019531137.tif 000011
【図１０】
2019531137.tif 000012
【図１１】
2019531137.tif 000013
【図１２】
2019531137.tif 000014
【図１３】
2019531137.tif 000015
【図１４】
2019531137.tif 000016
【図１５】
2019531137.tif 000017
【国際調査報告】
2019531137.tif 000018
2019531137.tif 000019
2019531137.tif 000020
2019531137.tif 000021
2019531137.tif 000022